(57)【要約】【課題】  冗長構成の規模を縮小することができる伝送システム及び伝送方法を提供する。【解決手段】  伝送システムは、送信装置と受信装置を有し、送信装置は、複数の光信号から所定波長帯の波長多重光信号を生成する複数の生成部と、波長多重光信号の出力先を第１及び第２伝送路から選択する複数の第１選択部と、第２伝送路が出力先の１つの波長多重光信号を第２伝送路に出力する出力部と、第１伝送路が出力先の各波長多重光信号を相違する波長帯に変換する第１波長変換部と、各波長多重光信号の合波光を生成し第１伝送路に出力する合波部とを有し、受信装置は、合波光から、第１伝送路が出力先の各波長多重光信号を分波する分波部と、各波長多重光信号を所定波長帯に変換する第２波長変換部と、複数の波長多重光信号から光信号を分離する複数の分離部と、分離部への波長多重光信号の入力元を第２波長変換部と第２伝送路から選択する複数の第２選択部とを有する。【選択図】図５
2019125964.tif 000002
【特許請求の範囲】
【請求項１】
第１伝送路及び第２伝送路を介して互いに接続された送信装置及び受信装置を有し、
前記送信装置は、
複数の光信号を波長多重することにより所定の波長帯の複数の波長多重光信号をそれぞれ生成する複数の生成部と、
前記複数の波長多重光信号の出力先を前記第１伝送路と前記第２伝送路からそれぞれ選択する複数の第１選択部と、
前記複数の波長多重光信号のうち、前記第２伝送路が前記出力先に選択された１つの波長多重光信号を前記第２伝送路に出力する出力部と、
前記複数の波長多重光信号のうち、前記第１伝送路が前記出力先に選択された各波長多重光信号の波長帯を互いに異なる波長帯に変換する第１波長変換部と、
前記複数の波長多重光信号のうち、前記波長帯が変換された各波長多重光信号を合波することにより合波光を生成し前記第１伝送路に出力する合波部とを有し、
前記受信装置は、
前記第１伝送路から入力された前記合波光から、前記複数の波長多重光信号のうち、前記第１伝送路が前記出力先に選択された各波長多重光信号を分波する分波部と、
前記合波光から分波された各波長多重光信号の波長帯を前記所定の波長帯に変換する第２波長変換部と、
前記複数の波長多重光信号からそれぞれ前記複数の光信号を分離する複数の分離部と、
前記複数の分離部への前記複数の波長多重光信号の入力元を前記第２波長変換部と前記第２伝送路からそれぞれ選択する複数の第２選択部とを有することを特徴とする伝送システム。
【請求項２】
前記出力部は、前記複数の第１選択部と前記第２伝送路の間に接続された光カプラであり、
前記受信装置は、前記第２伝送路と前記複数の第２選択部の間に接続された光スプリッタを有することを特徴とする請求項１に記載の伝送システム。
【請求項３】
前記送信装置は、前記複数の波長多重光信号の何れかに関する障害が発生した場合、前記複数の波長多重光信号のうち、当該波長多重光信号が前記第２伝送路に出力され、他の波長多重光信号が前記第１伝送路に出力されるように、前記複数の第１選択部をそれぞれ制御する第１制御部を有し、
前記受信装置は、前記複数の波長多重光信号の何れかに関する障害が発生した場合、前記複数の波長多重光信号のうち、当該波長多重光信号が前記第２伝送路から前記複数の分離部の１つに入力され、他の波長多重光信号が前記第２波長変換部から前記複数の分離部の残りに入力されるように、前記複数の第２選択部をそれぞれ制御する第２制御部を有することを特徴とする請求項１または２に記載の伝送システム。
【請求項４】
前記送信装置は、前記合波光の出力先を前記第１伝送路と前記第２伝送路から選択する第３選択部を有し、
前記受信装置は、前記合波光の入力元を前記第１伝送路と前記第２伝送路から選択する第４選択部を有し、
前記第１制御部は、前記第１伝送路の障害が発生した場合、前記第２伝送路が選択されるように前記第３選択部を制御し、
前記第２制御部は、前記第１伝送路の障害が発生した場合、前記第２伝送路が選択されるように前記第４選択部を制御することを特徴とする請求項１乃至３の何れかに記載の伝送システム。
【請求項５】
第１伝送路及び第２伝送路を介して互いに接続された送信装置及び受信装置を有し、
前記送信装置は、
複数の光信号を波長多重することにより所定の波長帯の複数の波長多重光信号をそれぞれ生成する複数の生成部と、
前記所定の波長帯の前記複数の波長多重光信号をそれぞれ二分岐する複数の分岐部と、
前記二分岐された一方の前記複数の波長多重光信号から１つの波長多重光信号を選択し前記第２伝送路に出力する信号出力部と、
前記二分岐された他方の前記複数の波長多重光信号の波長帯を互いに異なる波長帯に変換する第１波長変換部と、
前記波長帯が変換された各波長多重光信号を合波することにより合波光を生成し前記第１伝送路に出力する合波部とを有し、
前記受信装置は、
前記第１伝送路から入力された前記合波光から前記複数の波長多重光信号の各々を分波する分波部と、
前記合波光から分波された各波長多重光信号の波長帯を前記所定の波長帯に変換する第２波長変換部と、
前記複数の波長多重光信号からそれぞれ前記複数の光信号を分離する複数の分離部と、
前記複数の分離部への前記複数の波長多重光信号の入力元を前記第２波長変換部と前記第２伝送路からそれぞれ選択する複数の入力元選択部とを有することを特徴とする伝送システム。
【請求項６】
第１伝送路及び第２伝送路を介して互いに接続された送信装置及び受信装置の間の伝送方法において、
前記送信装置は、
複数の光信号を波長多重することにより所定の波長帯の複数の波長多重光信号をそれぞれ生成し、
前記複数の波長多重光信号の出力先を前記第１伝送路と前記第２伝送路からそれぞれ選択し、
前記複数の波長多重光信号のうち、前記第２伝送路が前記出力先に選択された１つの波長多重光信号を前記第２伝送路に出力し、
前記複数の波長多重光信号のうち、前記第１伝送路が前記出力先に選択された各波長多重光信号の波長帯を互いに異なる波長帯に変換し、
前記複数の波長多重光信号のうち、前記波長帯が変換された各波長多重光信号を合波することにより合波光を生成し、
前記合波光を前記第１伝送路に出力し、
前記受信装置は、
前記第１伝送路から入力された前記合波光から、前記複数の波長多重光信号のうち、前記第１伝送路が前記出力先に選択された各波長多重光信号を分波し、
前記合波光から分波された各波長多重光信号の波長帯を、波長変換部により前記所定の波長帯に変換し、
複数の分離部により前記複数の波長多重光信号からそれぞれ前記複数の光信号を分離し、
前記複数の分離部への前記複数の波長多重光信号の入力元を前記波長変換部と前記第２伝送路からそれぞれ選択することを特徴とする伝送方法。
【請求項７】
第１伝送路及び第２伝送路を介して互いに接続された送信装置及び受信装置の間の伝送方法において、
前記送信装置は、
複数の光信号を波長多重することにより所定の波長帯の複数の波長多重光信号をそれぞれ生成し、
前記所定の波長帯の前記複数の波長多重光信号をそれぞれ二分岐し、
前記二分岐された一方の前記複数の波長多重光信号から１つの波長多重光信号を選択し前記第２伝送路に出力し、
前記二分岐された他方の前記複数の波長多重光信号の波長帯を互いに異なる波長帯に変換し、
前記波長帯が変換された各波長多重光信号を合波することにより合波光を生成し、
前記合波光を前記第１伝送路に出力し、
前記受信装置は、
前記第１伝送路から入力された前記合波光から前記複数の波長多重光信号の各々を分波し、
前記合波光から分波された各波長多重光信号の波長帯を、波長変換部により前記所定の波長帯に変換し、
複数の分離部により前記複数の波長多重光信号からそれぞれ前記複数の光信号を分離し、
前記複数の分離部への前記複数の波長多重光信号の入力元を前記波長変換部と前記第２伝送路からそれぞれ選択することを特徴とする伝送方法。
【発明の詳細な説明】
【技術分野】
【０００１】
本件は、伝送システム及び伝送方法に関する。
【背景技術】
【０００２】
通信需要の増加に伴い、波長多重光伝送（WDM: Wavelength Division Multiplexing）（例えば特許文献１及び２参照）の伝送容量の増加が要求されている。例えば、Ｃ（Conventional）バンドの波長多重光信号だけで伝送を行う場合、その波長帯は１５３０〜１５６５（nm）に限られる。
【０００３】
このため、例えば、１５６５〜１６２５（nm）のＬ（Long）バンドや１４６０〜１５３０（nm）のＳ（Short）バンドまで波長帯を拡張することにより、ＷＤＭの伝送容量を増加させることが検討されている。
【先行技術文献】
【特許文献】
【０００４】
【特許文献１】特開平１１−６８６５６号公報
【特許文献２】特開平１１−２９８９２８号公報
【発明の概要】
【発明が解決しようとする課題】
【０００５】
例えば、Ｃバンド、Ｌバンド、及びＳバンドの各波長多重光信号を合波して伝送する伝送システムでは、光カプラ、光増幅器、及び波長変換器などの多数の光学部品が用いられる。この伝送システムに冗長構成を設ける場合、送信器から受信器まで各波長帯の波長多重光信号を二重化して伝送するために２倍の数の各光学部品が必要となる。
【０００６】
例えば特許文献１に記載されているように、全ての光信号を二重化するため、各送信器とカプラの間、及び各受信器と分波器の間に、伝送路を選択する光スイッチを設ける場合、全波長帯で用いられる波長数（つまり、光信号数）と同数の光スイッチが必要となる。また、光信号を段階的に合波することにより各波長帯の波長多重光信号の合波光を生成するため、光カプラが多段構成となり、パワー損失によるＯＳＮＲ（Optical Signal-to-Noise Ratio）の低下を補償するための光増幅器も必要となる。
【０００７】
したがって、Ｃバンド、Ｌバンド、及びＳバンドを用いた伝送システムは、冗長構成の規模が単一の波長帯の伝送システムより大きくなるため、一例としてコスト面の問題がある。
【０００８】
そこで本件は、冗長構成の規模を縮小することができる伝送システム及び伝送方法を提供することを目的とする。
【課題を解決するための手段】
【０００９】
１つの態様では、伝送システムは、第１伝送路及び第２伝送路を介して互いに接続された送信装置及び受信装置を有し、前記送信装置は、複数の光信号を波長多重することにより所定の波長帯の複数の波長多重光信号をそれぞれ生成する複数の生成部と、前記複数の波長多重光信号の出力先を前記第１伝送路と前記第２伝送路からそれぞれ選択する複数の第１選択部と、前記複数の波長多重光信号のうち、前記第２伝送路が前記出力先に選択された１つの波長多重光信号を前記第２伝送路に出力する出力部と、前記複数の波長多重光信号のうち、前記第１伝送路が前記出力先に選択された各波長多重光信号の波長帯を互いに異なる波長帯に変換する第１波長変換部と、前記複数の波長多重光信号のうち、前記波長帯が変換された各波長多重光信号を合波することにより合波光を生成し前記第１伝送路に出力する合波部とを有し、前記受信装置は、前記第１伝送路から入力された前記合波光から、前記複数の波長多重光信号のうち、前記第１伝送路が前記出力先に選択された各波長多重光信号を分波する分波部と、前記合波光から分波された各波長多重光信号の波長帯を前記所定の波長帯に変換する第２波長変換部と、前記複数の波長多重光信号からそれぞれ前記複数の光信号を分離する複数の分離部と、前記複数の分離部への前記複数の波長多重光信号の入力元を前記第２波長変換部と前記第２伝送路からそれぞれ選択する複数の第２選択部とを有する。
【００１０】
１つの態様では、伝送システムは、第１伝送路及び第２伝送路を介して互いに接続された送信装置及び受信装置を有し、前記送信装置は、複数の光信号を波長多重することにより所定の波長帯の複数の波長多重光信号をそれぞれ生成する複数の生成部と、前記所定の波長帯の前記複数の波長多重光信号をそれぞれ二分岐する複数の分岐部と、前記二分岐された一方の前記複数の波長多重光信号から１つの波長多重光信号を選択し前記第２伝送路に出力する信号出力部と、前記二分岐された他方の前記複数の波長多重光信号の波長帯を互いに異なる波長帯に変換する第１波長変換部と、前記波長帯が変換された各波長多重光信号を合波することにより合波光を生成し前記第１伝送路に出力する合波部とを有し、前記受信装置は、前記第１伝送路から入力された前記合波光から前記複数の波長多重光信号の各々を分波する分波部と、前記合波光から分波された各波長多重光信号の波長帯を前記所定の波長帯に変換する第２波長変換部と、前記複数の波長多重光信号からそれぞれ前記複数の光信号を分離する複数の分離部と、前記複数の分離部への前記複数の波長多重光信号の入力元を前記第２波長変換部と前記第２伝送路からそれぞれ選択する複数の入力元選択部とを有する。
【００１１】
１つの態様では、伝送方法は、第１伝送路及び第２伝送路を介して互いに接続された送信装置及び受信装置の間の伝送方法において、前記送信装置は、複数の光信号を波長多重することにより所定の波長帯の複数の波長多重光信号をそれぞれ生成し、前記複数の波長多重光信号の出力先を前記第１伝送路と前記第２伝送路からそれぞれ選択し、前記複数の波長多重光信号のうち、前記第２伝送路が前記出力先に選択された１つの波長多重光信号を前記第２伝送路に出力し、前記複数の波長多重光信号のうち、前記第１伝送路が前記出力先に選択された各波長多重光信号の波長帯を互いに異なる波長帯に変換し、前記複数の波長多重光信号のうち、前記波長帯が変換された各波長多重光信号を合波することにより合波光を生成し、前記合波光を前記第１伝送路に出力し、前記受信装置は、前記第１伝送路から入力された前記合波光から、前記複数の波長多重光信号のうち、前記第１伝送路が前記出力先に選択された各波長多重光信号を分波し、前記合波光から分波された各波長多重光信号の波長帯を、波長変換部により前記所定の波長帯に変換し、複数の分離部により前記複数の波長多重光信号からそれぞれ前記複数の光信号を分離し、前記複数の分離部への前記複数の波長多重光信号の入力元を前記波長変換部と前記第２伝送路からそれぞれ選択する方法である。
【００１２】
１つの態様では、伝送方法は、第１伝送路及び第２伝送路を介して互いに接続された送信装置及び受信装置の間の伝送方法において、前記送信装置は、複数の光信号を波長多重することにより所定の波長帯の複数の波長多重光信号をそれぞれ生成し、前記所定の波長帯の前記複数の波長多重光信号をそれぞれ二分岐し、前記二分岐された一方の前記複数の波長多重光信号から１つの波長多重光信号を選択し前記第２伝送路に出力し、前記二分岐された他方の前記複数の波長多重光信号の波長帯を互いに異なる波長帯に変換し、前記波長帯が変換された各波長多重光信号を合波することにより合波光を生成し、前記合波光を前記第１伝送路に出力し、前記受信装置は、前記第１伝送路から入力された前記合波光から前記複数の波長多重光信号の各々を分波し、前記合波光から分波された各波長多重光信号の波長帯を、波長変換部により前記所定の波長帯に変換し、複数の分離部により前記複数の波長多重光信号からそれぞれ前記複数の光信号を分離し、前記複数の分離部への前記複数の波長多重光信号の入力元を前記波長変換部と前記第２伝送路からそれぞれ選択する方法である。
【発明の効果】
【００１３】
１つの側面として、冗長構成の規模を縮小することができる。
【図面の簡単な説明】
【００１４】
【図１】第１比較例の伝送システムを示す構成図である。
【図２】第２比較例の伝送システムを示す構成図である。
【図３】第３比較例の伝送システムを示す構成図である。
【図４】第４比較例の伝送システムを示す構成図である。
【図５】第１実施例の伝送システムを示す構成図である。
【図６】伝送路切り替えの一例を示す図である。
【図７】制御ユニットの一例を示す構成図である。
【図８】制御ユニットの経路切り替え処理の一例を示すフローチャートである。
【図９】第２実施例の伝送システムを示す構成図である。
【図１０】制御ユニットの経路切り替え処理の他の例を示すフローチャートである。
【図１１】第３実施例の伝送システムを示す構成図である。
【図１２】第４実施例の伝送システムを示す構成図である。
【図１３】第５実施例の伝送システムを示す構成図である。
【発明を実施するための形態】
【００１５】
（第１比較例）
図１は、第１比較例の伝送システムを示す構成図である。伝送システムには、一例として、光ファイバなどから構成された現用伝送路９０及び予備伝送路９１を介して互いに接続された一組の伝送装置８ａ，８ｂを有する。
【００１６】
現用伝送路９０には、経路上の障害がない波長多重光信号Ｓａ〜Ｓｃが伝送され、予備伝送路９１には、経路上に障害がある１つの波長多重光信号Ｓａ〜Ｓｃだけが伝送される。なお、本明細書で述べる伝送システムは、例えばＤＣＩ（Data Center Interconnect）システムとしても用いられる。
【００１７】
伝送装置８ａは制御ユニット１及び送信ユニット２を有し、伝送装置８ｂは制御ユニット１及び受信ユニット３を有する。送信ユニット２は、点線で示されるように、Ｃバンド、Ｌバンド、及びＳバンドの各波長多重光信号Ｓａ〜Ｓｃを合波して合波光Ｓｍｕｘを生成し、現用伝送路９０を介して受信ユニット３に送信する。なお、伝送装置８ｂから伝送装置８ａに向かう反対方向にも合波光を伝送するため、伝送装置８ａにも受信ユニット３が設けられ、伝送装置８ｂにも送信ユニット２が設けられるが、その図示は省略する。
【００１８】
制御ユニット１、送信ユニット２、及び受信ユニット３は、例えば、複数の電気部品及び光学部品が実装された回路基板により構成され、伝送装置８ａ，８ｂの筐体に設けられたスロットに実装される。制御ユニット１、送信ユニット２、及び受信ユニット３は、伝送装置８ａ，８ｂ内に設けられた配線基板と電気コネクタなどを介して接続され、配線基板を介して互いにデータを入出力する。
【００１９】
送信ユニット２は、複数の送信器２０ａ〜２０ｃと、複数の光スイッチ（ＳＷ）２９ａ〜２９ｃと、複数の合波器２１ａ〜２１ｃ，２６と、複数の光増幅器２３ａ〜２３ｃ，２５ａ，２５ｃと、波長変換部２４とを有する。波長変換部２４は、ＣバンドをＬバンドに変換する波長変換器（ＣＮＶ）２４ａと、ＣバンドをＳバンドに変換する波長変換器２４ｃとを有する。
【００２０】
送信ユニット２は、さらに予備系の送信処理部２ｐを有する。予備系の送信処理部２ｐは、予備伝送路９１に出力される波長多重光信号を処理する。予備系の送信処理部２ｐには、上記の合波器２１ａ〜２１ｃ，２６、光増幅器２３ａ〜２３ｃ，２５ａ，２５ｃ、及び波長変換部２４と同様の構成が含まれるが、図１には、合波器２１ｃに該当する合波器２１ｐ、光増幅器２３ｃに該当する光増幅器２３ｐ、及び合波器２６に該当する合波器２６ｐのみが示されている。なお、予備系の送信処理部２ｐは、送信ユニット２とは別のユニットに設けられてもよい。
【００２１】
送信器２０ａ、光スイッチ２９ａ、合波器２１ａ、光増幅器２３ａ，２５ａ、及び波長変換器２４ａは、波長多重光信号Ｓａの経路上に設けられている。各送信器２０ａは、Ｃバンド内の波長の光信号を生成し光スイッチ２９ａに出力する。なお、送信器２０ａ〜２０ｃは、クライアント側のＬＡＮ（Local Area Network）などに接続され、例えばイーサネット（登録商標、以下同様）信号などのクライアント信号から光信号を生成する。
【００２２】
光スイッチ２９ａは、光信号の出力先を現用伝送路９０と予備伝送路９１から選択する。光スイッチ２９ａは、現用伝送路９０を出力先に選択した場合、光信号を合波器２１ａに出力する。合波器２１ａは、例えば光カプラであり、各光スイッチ２９ａから入力された光信号を合波してＣバンドの波長多重光信号Ｓａを生成し光増幅器２３ａに出力する。
【００２３】
光増幅器２３ａは、例えばＥＤＦＡ（Erbium Doped optical Fiber Amplifier）であり、波長多重光信号Ｓａを増幅して波長変換器２４ａに出力する。これにより、光増幅器２５ａは、合波器２１ａによる波長多重光信号Ｓａのパワー損失を補償する。
【００２４】
波長変換器２４ａは、波長多重光信号Ｓａの波長帯をＣバンドからＬバンドに変換して光増幅器２５ａに出力する。なお、波長変換器２４ａ，２４ｃとしては、例えば、特開２０００−７５３３０号公報に記載されたものが用いられる。
【００２５】
光増幅器２５ａは、例えばＥＤＦＡであり、波長帯がＬバンドに変換された波長多重光信号Ｓａを増幅する。これにより、光増幅器２５ａは、波長変換による波長多重光信号Ｓａのパワー損失を補償する。
【００２６】
送信器２０ｂ、光スイッチ２９ｂ、合波器２１ｂ、及び光増幅器２３ｂは、波長多重光信号Ｓｂの経路上に設けられている。各送信器２０ｂは、Ｃバンド内の波長の光信号を生成し光スイッチ２９ｂに出力する。
【００２７】
光スイッチ２９ｂは、光信号の出力先を現用伝送路９０と予備伝送路９１から選択する。光スイッチ２９ｂは、現用伝送路９０を出力先に選択した場合、光信号を合波器２１ｂに出力する。合波器２１ｂは、例えば光カプラであり、各光スイッチ２９ｂから入力された光信号を合波してＣバンドの波長多重光信号Ｓｂを生成し光増幅器２３ｂに出力する。
【００２８】
光増幅器２３ｂは、例えばＥＤＦＡであり、波長多重光信号Ｓｂを増幅して合波器２６に出力する。これにより、光増幅器２３ｂは、合波器２１ｂによる波長多重光信号Ｓａのパワー損失を補償する。
【００２９】
送信器２０ｃ、光スイッチ２９ｃ、合波器２１ｃ、光増幅器２３ｃ，２５ｃ、及び波長変換器２４ｃは、波長多重光信号Ｓｃの経路上に設けられている。各送信器２０ｃは、Ｃバンド内の波長の光信号を生成し光スイッチ２９ｃに出力する。
【００３０】
光スイッチ２９ｃは、光信号の出力先を現用伝送路９０と予備伝送路９１から選択する。光スイッチ２９ｃは、現用伝送路９０を出力先に選択した場合、光信号を合波器２１ｃに出力する。合波器２１ｃは、例えば光カプラであり、各光スイッチ２９ｃから入力された光信号を合波してＣバンドの波長多重光信号Ｓｃを生成し光増幅器２３ｃに出力する。
【００３１】
光増幅器２３ｃは、例えばＥＤＦＡであり、波長多重光信号Ｓｃを増幅して波長変換器２４ｃに出力する。これにより、光増幅器２３ｃは、合波器２１ｃによる波長多重光信号Ｓａのパワー損失を補償する。
【００３２】
波長変換器２４ｃは、波長多重光信号Ｓｃの波長帯をＣバンドからＳバンドに変換して光増幅器２５ｃに出力する。光増幅器２５ｃは、例えばＥＤＦＡであり、波長帯がＳバンドに変換された波長多重光信号Ｓｃを増幅する。これにより、光増幅器２５ｃは、波長変換による波長多重光信号Ｓｃのパワー損失を補償する。
【００３３】
合波器２６には、光増幅器２５ａからＬバンドの波長多重光信号Ｓａが入力され、光増幅器２３ｂからＣバンドの波長多重光信号Ｓｂが入力され、光増幅器２５ｃからＳバンドの波長多重光信号Ｓｃが入力される。合波器２６は、各波長多重光信号Ｓａ〜Ｓｃを合波することにより合波光Ｓｍｕｘを生成し現用伝送路９０に出力する。すなわち、合波器２６は、各波長帯の波長多重光信号Ｓａ〜Ｓｃを波長多重する。
【００３４】
光スイッチ２９ｃは、予備伝送路９１を出力先に選択した場合、予備系の送信処理部２ｐの合波器２１ｐに光信号を出力する。また、他の光スイッチ２９ａ，２９ｂは、予備伝送路９１を出力先に選択した場合、予備系の送信処理部２ｐの合波器２１ｐに光信号を出力する。なお、以降は、予備系の送信処理部２ｐの各合波器を合波器２１ｐとし、予備系の送信処理部２ｐの各合波器の後段の各光増幅器を光増幅器２３ｐとして述べる。
【００３５】
予備系の送信処理部２ｐの各合波器２１ｐは、予備伝送路９１が出力先に選択された光信号を合波することにより波長多重光信号Ｓａ〜Ｓｃを生成し光増幅器２３ｐに出力する。光増幅器２３ｐは、合波器２１ｐからの波長多重光信号Ｓａ〜Ｓｃを増幅して、予備系の送信処理部２ｐの波長変換器（波長変換部２４に該当）に出力する。これにより、光増幅器２３ｐは、合波器２１ｐによる波長多重光信号Ｓａ〜Ｓｃのパワー損失を補償する。
【００３６】
各光増幅器２３ｐにより増幅された波長多重光信号Ｓａ〜Ｓｃの波長帯は、波長変換部によりＣバンド、Ｌバンド、及びＳバンドに変換される。さらに、波長帯がＬバンド及びＳバンドに変換された各波長多重光信号Ｓａ，Ｓｃは、予備系の送信処理部２ｐの光増幅器（光増幅器２５ａ，２５ｃに該当）により増幅されて合波器２６ｐに入力され、Ｃバンドの波長多重光信号Ｓｂも合波器２６ｐに入力される。合波器２６ｐは、各波長帯の波長多重光信号Ｓａ〜Ｓｃを合波することにより合波光Ｓｍｕｘ’を生成して予備伝送路９１に出力する。
【００３７】
このように、送信ユニット２には、送信器２０ａ〜２０ｃと合波器２１ａ〜２１ｃの間に光スイッチ２９ａ〜２９ｃが設けられ、さらに予備系の送信処理部２ｐとして、合波器２１ａ〜２１ｃ，２６、光増幅器２３ａ〜２３ｃ，２５ａ，２５ｃ、及び波長変換部２４と同様の構成が設けられる。
【００３８】
また、伝送装置８ａの制御ユニット１は、例えばＣＰＵ（Central Processing Unit）回路などにより構成され送信ユニット２を制御する。制御ユニット１は、各波長多重光信号Ｓａ〜Ｓｃに関する障害を検出し、障害に応じて光スイッチ２９ａ〜２９ｃを切り替える。
【００３９】
例えば、制御ユニット１は、波長多重光信号Ｓａの光増幅器２３ａの故障を検出した場合、波長多重光信号Ｓａの出力先が現用伝送路９０から予備伝送路９１に切り替えられるように各光スイッチ２９ａを制御する。また、制御ユニット１は、波長多重光信号Ｓｃの波長変換器２４ｃの故障を検出した場合、波長多重光信号Ｓｃの出力先が現用伝送路９０から予備伝送路９１に切り替えられるように各光スイッチ２９ｃを制御する。
【００４０】
受信ユニット３は、複数の受信器３０ａ〜３０ｃと、複数の光スイッチ３９ａ〜３９ｃと、複数の分波器３１ａ〜３１ｃ，３６と、光増幅器３３ａ〜３３ｃ，３５ａ，３５ｃと、波長変換部３４とを有する。波長変換部３４は、ＬバンドをＣバンドに変換する波長変換器（ＣＮＶ）３４ａと、ＳバンドをＣバンドに変換する波長変換器３４ｃとを有する。
【００４１】
受信ユニット３は、さらに予備系の受信処理部３ｐを有する。予備系の受信処理部３ｐは、予備伝送路９１から入力された合波光Ｓｍｕｘ’を処理する。受信ユニット３は、上記の分波器３１ａ〜３１ｃ，３６、光増幅器３３ａ〜３３ｃ，３５ａ，３５ｃ、及び波長変換部３４と同様の構成が含まれるが、図１には、分波器３６に該当する分波器３６ｐ、及び分波器３１ｃに該当する分波器３１ｐのみが示されている。なお、予備系の受信処理部３ｐは、受信ユニット３とは別のユニットに設けられてもよい。
【００４２】
分波器３６には、現用伝送路９０から合波光Ｓｍｕｘが入力される。分波器３６は、例えば光スプリッタであり、合波光Ｓｍｕｘを波長帯ごとに分波することにより合波光Ｓｍｕｘから、現用伝送路９０に出力された波長多重光信号Ｓａ〜Ｓｃを分離する。分波器３６は、Ｌバンドの波長多重光信号Ｓａを光増幅器３５ａに出力し、Ｃバンドの波長多重光信号Ｓｂを光増幅器３３ｂに出力し、Ｓバンドの波長多重光信号Ｓｃを光増幅器３５ｃに出力する。
【００４３】
光増幅器３５ａ，３５ｃ，３３ｂは、例えばＥＤＦＡであり、波長多重光信号Ｓａ〜Ｓｃをそれぞれ増幅する。これにより、光増幅器３５ａ，３５ｃ，３３ｂは、分波による波長多重光信号Ｓａ〜Ｓｃのパワー損失を補償する。
【００４４】
光増幅器３５ａは、波長多重光信号Ｓａを波長変換器３４ａに出力する。波長変換器３４ａは、波長多重光信号Ｓａの波長帯をＬバンドからＣバンドに変換して光増幅器３３ａに出力する。なお、波長変換器３４ａ，３４ｃとしては、例えば、特開２０００−７５３３０号公報に記載されたものが用いられる。
【００４５】
光増幅器３３ａは、例えばＥＤＦＡであり、波長多重光信号Ｓａを増幅する。これにより、光増幅器３３ａは、波長変換による波長多重光信号Ｓａのパワー損失を補償する。光増幅器３３ａは、波長多重光信号Ｓａを分波器３１ａに出力する。
【００４６】
分波器３１ａは、例えば光スプリッタであり、波長多重光信号Ｓａを波長ごとに分波することにより波長多重光信号Ｓａから複数の光信号を分離する。分波器３１ａは、各光信号を光スイッチ３９ａに出力する。
【００４７】
光スイッチ３９ａは、受信器３０ａに対する光信号の入力元を現用伝送路９０と予備伝送路９１から選択する。光スイッチ３９ａは、光信号の入力元に現用伝送路９０を選択した場合、分波器３１ａから入力された光信号を受信器３０ａに出力する。
【００４８】
受信器３０ａは、光スイッチ３９ａから入力された光信号を受信する。なお、受信器３０ａ〜３０ｃは、例えばクライアント側のＬＡＮに接続され、光信号から例えばイーサネット信号を生成してＬＡＮに送信する。
【００４９】
また、光増幅器３３ｂは、波長多重光信号Ｓｂを分波器３１ｂに出力する。
【００５０】
分波器３１ｂは、例えば光スプリッタであり、波長多重光信号Ｓｂを波長ごとに分波することにより波長多重光信号Ｓｂから複数の光信号を分離する。分波器３１ｂは、各光信号を光スイッチ３９ｂに出力する。
【００５１】
光スイッチ３９ｂは、受信器３０ｂに対する光信号の入力元を現用伝送路９０と予備伝送路９１から選択する。光スイッチ３９ｂは、光信号の入力元に現用伝送路９０を選択した場合、分波器３１ｂから入力された光信号を受信器３０ｂに出力する。
【００５２】
受信器３０ｂは、光スイッチ３９ｂから入力された光信号を受信する。
【００５３】
また、光増幅器３５ｃは、波長多重光信号Ｓｃを波長変換器３４ｃに出力する。波長変換器３４ｃは、波長多重光信号Ｓｃの波長帯をＳバンドからＣバンドに変換して光増幅器３３ｃに出力する。
【００５４】
光増幅器３３ｃは、例えばＥＤＦＡであり、波長多重光信号Ｓｃを増幅する。これにより、光増幅器３３ｃは、波長変換による波長多重光信号Ｓｃのパワー損失を補償する。光増幅器３３ｃは、波長多重光信号Ｓｃを分波器３１ｃに出力する。
【００５５】
分波器３１ｃは、例えば光スプリッタであり、波長多重光信号Ｓｃを波長ごとに分波することにより波長多重光信号Ｓｃから複数の光信号を分離する。分波器３１ｃは、各光信号を光スイッチ３９ｃに出力する。
【００５６】
光スイッチ３９ｃは、受信器３０ｃに対する光信号の入力元を現用伝送路９０と予備伝送路９１から選択する。光スイッチ３９ｃは、光信号の入力元に現用伝送路９０を選択した場合、分波器３１ｃから入力された光信号を受信器３０ｃに出力する。
【００５７】
受信器３０ｃは、光スイッチ３９ｃから入力された光信号を受信する。
【００５８】
また、予備系の受信処理部３ｐの分波器３６ｐには、予備伝送路９１から合波光Ｓｍｕｘ’が入力される。分波器３６ｐは、合波光Ｓｍｕｘ’を波長帯ごとに分波することにより合波光Ｓｍｕｘから、予備伝送路９１に出力された波長多重光信号Ｓａ〜Ｓｃを分離する。分波器３６ｐは、分離した波長多重光信号Ｓａ，Ｓｃを予備系の受信処理部３ｐの光増幅器（光増幅器３５ａ，３５ｃに該当）に出力する。
【００５９】
さらに波長多重光信号Ｓａ〜Ｓｃの波長帯は、予備系の受信処理部３ｐの波長変換部（波長変換部２４に該当）によりＣバンドに変換され、予備系の受信処理部３ｐの光増幅器（光増幅器３３ａ〜３３ｃに該当）により増幅される。波長多重光信号Ｓｃは、予備系の受信処理部３ｐの分波器３１ｐに入力される。分波器３１ｐは、波長多重光信号Ｓｃから複数の光信号を分離し、光スイッチ３９ｃに出力する。
【００６０】
また、他の波長多重光信号Ｓａ，Ｓｂも予備系の受信処理部３ｐの分波器（分波器３１ａ，３１ｂに該当）に入力される。分波器は、波長多重光信号Ｓａ，Ｓｂから複数の光信号を分離し、光スイッチ３９ａ，３９ｂに出力する。
【００６１】
光スイッチ３９ａ〜３９ｃは、予備伝送路９１を光信号の入力元に選択した場合、分波器３１ｐから入力された光信号を受信器３０ａ〜３０ｃにそれぞれ出力する。
【００６２】
このように、受信ユニット３には、受信器３０ａ〜３０ｃと分波器３１ａ〜３１ｃの間に光スイッチ３９ａ〜３９ｃが設けられ、さらに予備系の受信処理部３ｐとして、分波器３１ａ〜３１ｃ，３６、光増幅器３３ａ〜３３ｃ，３５ａ，３５ｃ、及び波長変換部３４と同様の構成が設けられる。
【００６３】
伝送装置８ａの制御ユニット１は、例えばＣＰＵ回路などにより構成され受信ユニット３を制御する。制御ユニット１は、各波長多重光信号Ｓａ〜Ｓｃに関する障害を検出し、障害に応じて光スイッチ３９ａ〜３９ｃを切り替える。
【００６４】
例えば、制御ユニット１は、波長多重光信号Ｓａの光増幅器３３ａの故障を検出した場合、各受信器３０ａに対する光信号の入力元が現用伝送路９０から予備伝送路９１に切り替えられるように各光スイッチ３９ａを制御する。また、制御ユニット１は、波長多重光信号Ｓｃの波長変換器３４ｃの故障を検出した場合、各受信器３０ｃに対する光信号の入力元が現用伝送路９０から予備伝送路９１に切り替えられるように各光スイッチ２９ｃを制御する。
【００６５】
各伝送装置８ａ，８ｂの制御ユニット１は、波長多重光信号Ｓａ〜Ｓｃに関する障害の情報を、例えば制御チャネルにより共有する。このため、各制御ユニット１は、共通の波長多重光信号Ｓａ〜Ｓｃに対応する光スイッチ２９ａ〜２９ｃ，３９ａ〜３９ｃを切り替えることができる。例えば、波長多重光信号Ｓａに関する障害が検出された場合、送信ユニット２の各光スイッチ２９ａと受信ユニット３の各光スイッチ３９ａは、予備伝送路９１を選択する。これにより、波長多重光信号Ｓａ〜Ｓｃのうち、障害に関わる波長多重光信号Ｓａだけが予備伝送路９１を介して伝送される。
【００６６】
しかし、本例の伝送システムでは、全ての光信号を二重化するため、各送信器２０ａ〜２０ｃと合波器２１ａ〜２１ｃの間、及び各受信器３０ａ〜３０ｃと分波器３１ａ〜３１ｃの間に、全波長帯で用いられる波長数（つまり、光信号数）と同数の光スイッチ２９ａ〜２９ｃ，３９ａ〜３９ｃが必要となる。
【００６７】
また、本例の伝送システムは、予備系の送信処理部２ｐ及び受信処理部３ｐが必要となる。このため、各光増幅器２３ａ〜２３ｃ，２５ａ，２５ｃ，３３ａ〜３３ｃ，３５ａ，３５ｃ、各波長変換部２４，３４、各合波器２１ａ〜２１ｃ，２６、及び各分波器３１ａ〜３１ｃ，３６の数が２倍となる。
【００６８】
（第２比較例）
図２は、第２比較例の伝送システムを示す構成図である。図２において、図１と共通する構成には同一の符号を付し、その説明は省略する。なお、図２において、制御ユニット１の図示は省略する。
【００６９】
本例の伝送システムには、第１比較例の予備系の送信処理部２ｐに代えて、送信処理部４が設けられ、第１比較例の予備系の受信処理部３ｐに代えて、受信処理部５が設けられている。送信処理部４は、合波光Ｓｍｕｘ’を生成し、予備伝送路９１を介して受信処理部５に送信する。
【００７０】
送信処理部４は、複数の送信器２０ａ’〜２０ｃ’と、複数の光スイッチ（ＳＷ）４０と、合波器４１と、光増幅器４２と、光カプラ４３とを有する。送信器２０ａ’〜２０ｃ’は、送信器２０ａ〜２０ｃとそれぞれ同一の機能を有する。送信器２０ａ’〜２０ｃ’は、Ｃバンド内の波長の光信号を生成し光スイッチ４０に出力する。
【００７１】
送信器２０ａと送信器２０ａ’の各入力ポートには、光カプラ４３を介して同一のクライアント信号が入力される。また、図示は省略するが、送信器２０ｂと送信器２０ｂ’の各入力ポートにも、光カプラ４３を介して同一のクライアント信号が入力され、送信器２０ｃと送信器２０ｃ’の各入力ポートにも、光カプラ４３を介して同一のクライアント信号が入力される。送信器２０ａ〜２０ｃ， ２０ａ’〜２０ｃ’はクライアント信号を光信号に変換して出力する。
【００７２】
また、本例の伝送システムには、第１比較例の光スイッチ２９ａ〜２９ｃが設けられていない。このため、送信器２０ａ〜２０ｃは、直接的に合波器２１ａ〜２１ｃにそれぞれ接続されている。
【００７３】
各光スイッチ４０の入力ポートには、一組の送信器２０ａ’〜２０ｃ’が接続されている。各光スイッチ４０は、制御ユニット１からの制御に従って送信器２０ａ’〜２０ｃ’の１つを選択し、その選択した送信器２０ａ’〜２０ｃ’の光信号を合波器４１に出力する。
【００７４】
制御ユニット１は、各波長多重光信号Ｓａ〜Ｓｃに関する障害を検出し、障害に応じて各光スイッチ４０を切り替える。例えば、制御ユニット１は、波長多重光信号Ｓａの光増幅器２３ａの故障を検出した場合、各送信器２０ａ’の光信号が出力されるように各光スイッチ４０を制御する。また、制御ユニット１は、波長多重光信号Ｓｃの波長変換器２４ｃの故障を検出した場合、各送信器２０ｃ’の光信号が出力されるように各光スイッチ４０を制御する。
【００７５】
合波器４１は、各光スイッチ４０から出力された光信号を合波することにより合波光Ｓｍｕｘ’を生成し、光増幅器４１に出力する。光増幅器４１は、合波光Ｓｍｕｘ’を増幅して予備伝送路９１に出力する。
【００７６】
また、受信処理部５は、複数の光カプラ５０と、分波器５１と、複数の光スイッチ５２と、受信器３０ａ’〜３０ｃ’とを有する。合波光Ｓｍｕｘ’は、予備伝送路９１から分波器５１に入力されて分波される。分波器５１は、合波光Ｓｍｕｘ’を波長ごとに分波して、該当する出力ポートから光カプラ５０に出力する。
【００７７】
各光カプラ５０の出力ポートには、一組の受信器３０ａ’〜３０ｃ’が接続されている。各光カプラ５０は、合波光Ｓｍｕｘ’を受信器３０ａ’〜３０ｃ’に向けて分岐する。
【００７８】
受信器３０ａ’〜３０ｃ’は、受信器３０ａ〜３０ｃとそれぞれ同一の機能を有する。受信器３０ａと受信器３０ａ’の各出力ポートは共通の光スイッチ５２に接続されている。また、図示は省略するが、受信器３０ｂと受信器３０ｂ’の各出力ポートも共通の光スイッチ５２に接続され、受信器３０ｃと受信器３０ｃ’の各出力ポートも共通の光スイッチ５２に接続されている。
【００７９】
光スイッチ５２は、制御ユニット１の制御に従って、受信器３０ａと受信器３０ａ’の一方を選択し、その選択した受信器３０ａ，３０ａ’から入力された光信号を不図示のクライアント装置に出力する。また、受信器３０ｂ，３０ｂ’についても、光スイッチ５２が選択した受信器３０ｂ，３０ｂ’の光信号が、光スイッチ５２からクライアント装置に出力される。受信器３０ｃ，３０ｃ’についても、光スイッチ５２が選択した受信器３０ｃ，３０ｃ’の光信号が、光スイッチ５２からクライアント装置に出力される。
【００８０】
制御ユニット１は、各波長多重光信号Ｓａ〜Ｓｃに関する障害を検出し、障害に応じて各光スイッチ５２を切り替える。例えば、制御ユニット１は、波長多重光信号Ｓａの光増幅器２３ａの故障を検出した場合、各受信器３０ａ’の光信号が光スイッチ５２から出力されるように各光スイッチ５２を制御する。また、制御ユニット１は、波長多重光信号Ｓｃの波長変換器２４ｃの故障を検出した場合、各送信器２０ｃ’の光信号が光スイッチ５２から出力されるように各光スイッチ５２を制御する。
【００８１】
上記の構成によると、制御ユニット１が、各波長多重光信号Ｓａ〜Ｓｃに関する障害に応じて各光スイッチ４０，５２を切り替えることにより、障害の波長多重光信号Ｓａ〜Ｓｃだけを送信ユニット２から予備伝送路９１経由で受信ユニット３に送信することができる。この構成では、送信器２０ａ〜２０ｃ，２０ａ’〜２０ｃ’及び受信器３０ａ〜３０ｃ，３０ａ’〜３０ｃ’が二重化されているため、送信ユニット２と受信ユニット３に隣接する各クライアント装置の間の通信経路を冗長化することができる。
【００８２】
しかし、本例の伝送システムでは、送信器２０ａ〜２０ｃ，２０ａ’〜２０ｃ’及び受信器３０ａ〜３０ｃ，３０ａ’〜３０ｃ’が二重化されているため、波長数の２倍の送信器２０ａ〜２０ｃ，２０ａ’〜２０ｃ’及び受信器３０ａ〜３０ｃ，３０ａ’〜３０ｃ’が設けられる。
【００８３】
（第３比較例）
第２比較例の伝送システムには光スイッチ４０，５２が設けられたが、光スイッチ４０，５２に代えて波長選択スイッチが設けられてもよい。
【００８４】
図３は、第３比較例の伝送システムを示す構成図である。図３には、送信処理部４に代わる本例の送信処理部４ａと、受信処理部５に代わる本例の受信処理部５ａのみが示されている。なお、図３において、図２と共通する構成には同一の符号を付し、その説明は省略する。
【００８５】
送信処理部４は、複数の送信器２０ａ’〜２０ｃ’と、複数の光カプラ（ＳＷ）４４ａ〜４４ｃと、波長選択スイッチ（ＷＳＳ）４５と、光増幅器４２と、光カプラ４３とを有する。なお、光カプラ４３の図示は省略する。
【００８６】
光カプラ４４ａの入力ポートには、複数の送信器２０ａ’が接続されている。光カプラ４４ａは、各送信器２０ａ’から入力された光信号を合波して波長多重光信号Ｓａを生成し波長選択スイッチ４５に出力する。
【００８７】
光カプラ４４ｂの入力ポートには、複数の送信器２０ｂ’が接続されている。光カプラ４４ｂは、各送信器２０ｂ’から入力された光信号を合波して波長多重光信号Ｓｂを生成し波長選択スイッチ４５に出力する。
【００８８】
光カプラ４４ｃの入力ポートには、複数の送信器２０ｃ’が接続されている。光カプラ４４ｃは、各送信器２０ｃ’から入力された光信号を合波して波長多重光信号Ｓｃを生成し波長選択スイッチ４５に出力する。
【００８９】
ＷＳＳ４５は、制御ユニット１の制御に従って、光カプラ４４ａ〜４４ｃから入力された波長多重光信号Ｓａ〜Ｓｃの１つを選択し、その選択した波長多重光信号Ｓａ〜Ｓｃを光増幅器４２に出力する。増幅器４２から出力された波長多重光信号Ｓａ〜Ｓｃは、合波光Ｓｍｕｘ’として予備伝送路９１に入力される。
【００９０】
制御ユニット１は、各波長多重光信号Ｓａ〜Ｓｃに関する障害を検出し、障害に応じて波長選択スイッチ４５に入力される波長多重光信号Ｓａ〜Ｓｃを切り替える。例えば、制御ユニット１は、波長多重光信号Ｓａの光増幅器２３ａの故障を検出した場合、光カプラ４４ａからの波長多重光信号Ｓａが波長選択スイッチ４５から出力されるように波長選択スイッチ４５を制御する。また、制御ユニット１は、波長多重光信号Ｓｃの波長変換器２４ｃの故障を検出した場合、光カプラ４４ｃからの波長多重光信号Ｓｃが波長選択スイッチ４５から出力されるように波長選択スイッチ４５を制御する。
【００９１】
また、受信処理部５ａは、複数の光スイッチ５２と、波長選択スイッチ５４と、光増幅器５５と、光スプリッタ５３ａ〜５３ｃと、受信器３０ａ’〜３０ｃ’とを有する。なお、光スイッチ５２の図示は省略する。合波光Ｓｍｕｘ’は、予備伝送路９１から光増幅器５５に入力されて増幅される。光増幅器５５は、合波光Ｓｍｕｘ’を増幅して波長選択スイッチ５４に出力する。
【００９２】
波長選択スイッチ５４は、制御ユニット１の制御に従って、光スプリッタ５３ａ〜５３ｃの１つを選択し、その選択した光スプリッタ５３ａ〜５３ｃに合波光Ｓｍｕｘ’を出力する。これにより、障害に応じた波長多重光信号Ｓａ〜Ｓｃが波長選択スイッチ５４から光スプリッタ５３ａ〜５３ｃに出力される。
【００９３】
制御ユニット１は、各波長多重光信号Ｓａ〜Ｓｃに関する障害を検出し、障害に応じて波長選択スイッチ５４の合波光Ｓｍｕｘ’の出力先を切り替える。例えば、制御ユニット１は、波長多重光信号Ｓａの光増幅器２３ａの故障を検出した場合、合波光Ｓｍｕｘ’が波長選択スイッチ５４から光スプリッタ５３ａに出力されるように波長選択スイッチ５４を制御する。また、制御ユニット１は、波長多重光信号Ｓｃの波長変換器２４ｃの故障を検出した場合、合波光Ｓｍｕｘ’が波長選択スイッチ５４から光スプリッタ５３ｃに出力されるように波長選択スイッチ５４を制御する。
【００９４】
これにより、波長多重光信号Ｓａ〜Ｓｃの１つが、その該当する光スプリッタ５３ａ〜５３ｃに入力される。光スプリッタ５３ａは、波長多重光信号Ｓａを波長単位で分波して各受信器３０ａ’に出力する。光スプリッタ５３ｂは、波長多重光信号Ｓｂを波長単位で分波して各受信器３０ｂ’に出力する。光スプリッタ５３ｃは、波長多重光信号Ｓｃを波長単位で分波して各受信器３０ｃ’に出力する。
【００９５】
上記の構成によると、制御ユニット１が、各波長多重光信号Ｓａ〜Ｓｃに関する障害に応じて各波長選択スイッチ４５，５４を切り替えることにより、障害の波長多重光信号Ｓａ〜Ｓｃだけを送信ユニット２から予備伝送路９１経由で受信ユニット３に送信することができる。この構成では、送信器２０ａ〜２０ｃ，２０ａ’〜２０ｃ’及び受信器３０ａ〜３０ｃ，３０ａ’〜３０ｃ’が二重化されているため、送信ユニット２と受信ユニット３に隣接する各クライアント装置の間の通信経路を冗長化することができる。
【００９６】
しかし、本例の伝送システムでは、送信器２０ａ〜２０ｃ，２０ａ’〜２０ｃ’及び受信器３０ａ〜３０ｃ，３０ａ’〜３０ｃ’が二重化されているため、波長数の２倍の送信器２０ａ〜２０ｃ，２０ａ’〜２０ｃ’及び受信器３０ａ〜３０ｃ，３０ａ’〜３０ｃ’が設けられる。
【００９７】
（第４比較例）
第１比較例の伝送システムには、波長単位で光スイッチ２９ａ〜２９ｂが設けられているため、全ての光信号数部の光スイッチ２９ａ〜２９ｂが設けられている。しかし、波長帯の異なる光信号の組ごとに光スイッチを設けることも可能である。
【００９８】
図４は、第４比較例の伝送システムを示す構成図である。図４において、図１と共通する構成には同一の符号を付し、その説明は省略する。
【００９９】
本例の伝送システムには、第１比較例の光スイッチ２９ａ〜２９ｂに代えて、光カプラ（ＣＰＬ）２８ａ〜２８ｃが設けられている。また、第１比較例の送信処理部２ｐに代えて、本例の送信処理部４ｂが設けられ、第１比較例の受信処理部３ｐに代えて、本例の受信処理部５ｂが設けられている。
【０１００】
送信処理部４ｂは、複数の光スイッチ（ＳＷ）４６と、合波器４７と、光増幅器４８とを有する。また、受信処理部５ｂは、分波器５５と、光カプラ５６とを有する。
【０１０１】
光カプラ２８ａは、送信器２０ａから入力された光信号Ｉａを分岐して合波器２１ａと光スイッチ４６に出力する。光カプラ２８ｂは、送信器２０ｂから入力された光信号Ｉｂを分岐して合波器２１ｂと光スイッチ４６に出力する。光カプラ２８ｃは、送信器２０ｃから入力された光信号Ｉｃを分岐して合波器２１ｃと光スイッチ４６に出力する。
【０１０２】
このため、各光スイッチ４６には、波長帯の異なる３つの光信号Ｉａ〜Ｉｃが入力される。光スイッチ４６は、３つの入力ポートと１つの出力ポートを有し、入力ポートから入力された光信号Ｉａ〜Ｉｃの１つを選択し、その選択した光信号Ｉａ〜Ｉｃを出力ポートから合波器４７に出力する。各光スイッチ４６は、制御ユニット１の制御に従って、出力する光信号Ｉａ〜Ｉｃを選択する。
【０１０３】
制御ユニット１は、各波長多重光信号Ｓａ〜Ｓｃに関する障害を検出し、障害に応じて各光スイッチ４６を切り替える。例えば、制御ユニット１は、波長多重光信号Ｓａの光増幅器２３ａの故障を検出した場合、光信号Ｉａが出力されるように各光スイッチ４６を制御する。また、制御ユニット１は、波長多重光信号Ｓｃの波長変換器２４ｃの故障を検出した場合、光信号Ｉｃが出力されるように各光スイッチ４６を制御する。
【０１０４】
合波器４７は、各光スイッチ４６から入力された光信号Ｉａ〜Ｉｃを合波して合波光Ｓｍｕｘ’を生成する。合波光Ｓｍｕｘ’には、各送信器２０ａの光信号Ｉａ、各送信器２０ｂの光信号Ｉｂ、または各送信器２０ｃの光信号Ｉｃの何れかが含まれている。合波光Ｓｍｕｘ’は、合波器４７から光増幅器４８に入力されて増幅される。増幅された合波光Ｓｍｕｘ’は予備伝送路９１に入力される。
【０１０５】
合波光Ｓｍｕｘ’は、予備伝送路９１から分波器５５に入力される。分波器５５は、波長単位で合波光Ｓｍｕｘ’を分波して各光カプラ５６に出力する。各光カプラ５６は、光信号Ｉａ〜Ｉｃを光スイッチ３９ａ〜３９ｃに出力する。光スイッチ４６が光信号Ｉａを出力する場合、光カプラ５６からは光信号Ｉａが出力され、光スイッチ４６が光信号Ｉｃを出力する場合、光カプラ５６からは光信号Ｉｃが出力される。なお、光スイッチ３９ａ〜３９ｃは、第１比較例と同様に、制御ユニット１により切り替えられる。
【０１０６】
上記の構成によると、光スイッチ４６が、３つの光信号Ｉａ〜Ｉｃの１つを選択するため、第１比較例より光スイッチ数が削減されるが、各波長帯に含まれる波長数分の光スイッチ４６が必要となる。なお、本例の伝送システムにおいて、光カプラ２８ａ〜２８ｃに代えて光スイッチが設けられ、合波器４７に代えて光カプラが設けられてもよい。また、分波器５５に代えて光スイッチが設けられ、光スイッチ３９ａ〜３９ｃに代えて光カプラが設けられてもよい。
【０１０７】
このように、各比較例の伝送システムは、規模が大きくなるため、例えばコスト面の問題がある。
【０１０８】
そこで、実施例の伝送システムは、各光信号の出力先及び入力元を選択する光スイッチ２９ａ〜２９ｃ，３９ａ〜３９ｃに代えて、各波長多重光信号Ｓａ〜Ｓｃの出力先及び入力元を選択する光スイッチが設けられている。このため、光スイッチ数が比較例より低減される。
【０１０９】
（第１実施例）
図５は、第１実施例の伝送システムを示す構成図である。図５において、図１と共通する構成には同一の符号を付し、その説明は省略する。なお、実施例の伝送方法は、以下に述べる伝送システムの処理によって実行される。
【０１１０】
伝送装置８ａは、制御ユニット１ａ、送信ユニット２ａ、及び受信ユニット３ａを有し、伝送装置８ｂは、制御ユニット１ｂ、送信ユニット２ｂ、及び受信ユニット３ｂを有する。送信ユニット２ａは、点線で示されるように、Ｃバンド、Ｌバンド、及びＳバンドの各波長多重光信号Ｓａ〜Ｓｃを合波して合波光Ｓｍｕｘを生成し、現用伝送路９０を介して受信ユニット３ｂに送信する。なお、伝送装置８ａは送信装置の一例であり、伝送装置８ｂは受信装置の一例である。
【０１１１】
また、送信ユニット２ｂから受信ユニット３ａにも合波光が送信されるが、その送信処理は、送信ユニット２ａから受信ユニット３ｂへの送信処理と同様である。なお、送信ユニット２ａ，２ｂは同一の構成を有し、受信ユニット３ａ，３ｂは同一の構成を有するが、図５には、送信ユニット２ａ及び受信ユニット３ｂの構成のみが記載されている。また、制御ユニット１ａ，１ｂも同一の構成を有するが、以下の説明では、一方の制御ユニット１ａの制御対象を送信ユニット２ａとし、他方の制御ユニット１ｂの制御対象を受信ユニット３ｂとしているため、制御ユニット１ａ，１ｂを区別して記載する。
【０１１２】
制御ユニット１ａ，１ｂ、送信ユニット２ａ，２ｂ、及び受信ユニット３ａ，３ｂは、例えば、複数の電気部品及び光学部品が実装された回路基板により構成され、伝送装置８ａ，８ｂの筐体に設けられたスロットに実装される。制御ユニット１ａ，１ｂ、送信ユニット２ａ，２ｂ、及び受信ユニット３ａ，３ｂは、伝送装置８ａ，８ｂ内に設けられた配線基板と電気コネクタなどを介して接続され、配線基板を介して互いにデータを入出力する。
【０１１３】
送信ユニット２ａは、複数の送信器２０ａ〜２０ｃと、複数の合波器２１ａ〜２１ｃ，２６と、複数の光スイッチ（ＳＷ）２２ａ〜２２ｃと、複数の光増幅器２３ａ〜２３ｃ，２５ａ，２５ｃ，２５ｄと、波長変換部２４と、光カプラ（ＣＰＬ）２７とを有する。
【０１１４】
光送信器２０ａ〜２０ｃは、比較例とは異なり、直接的に合波器２１ａ〜２１ｃに接続されている。合波器２１ａ〜２１ｃは、複数の生成部の一例であり、複数の光信号を波長多重することによりＣバンドの複数の波長多重光信号Ｓａ〜Ｓｃをそれぞれ生成する。合波器２１ａ〜２１ｃは、波長多重光信号Ｓａ〜Ｓｃを光スイッチ２２ａ〜２２ｃに出力する。なお、Ｃバンドは所定の波長帯の一例である。
【０１１５】
光スイッチ２２ａ〜２２ｃは、合波器２１ａ〜２１ｃの後段にそれぞれ接続され、波長多重光信号Ｓａ〜Ｓｃがそれぞれ入力される。光スイッチ２２ａ〜２２ｃは、複数の第１選択部の一例であり、波長多重光信号Ｓａ〜Ｓｃの出力先を現用伝送路９０と予備伝送路９１からそれぞれ選択する。なお、現用伝送路９０は第１伝送路の一例であり、予備伝送路９１は第２伝送路の一例である。
【０１１６】
光スイッチ２２ａ〜２２ｃは、制御ユニット１ａにより制御される。制御ユニット１ａは、波長多重光信号Ｓａ〜Ｓｃの何れかに関する障害を検出した場合、その波長多重光信号Ｓａ〜Ｓｃだけが予備伝送路９１に出力されるように、光スイッチ２２ａ〜２２ｃをそれぞれ制御する。
【０１１７】
例えば、制御ユニット１ａは、波長多重光信号Ｓｃに関する障害を検出した場合、光スイッチ２２ｃからの波長多重光信号Ｓｃの出力先を予備伝送路９１に切り替え、他の光スイッチ２２ａ，２２ｂの波長多重光信号Ｓａ，Ｓｂの出力先を現用伝送路９０のままとする。これにより、光スイッチ２２ｃは、波長多重光信号Ｓｃを光カプラ２７に出力し、他の光スイッチ２２ａ，２２ｂは、波長多重光信号Ｓａ，Ｓｂを光増幅器２３ａ，２３ｂに出力する。
【０１１８】
光スイッチ２２ａ〜２２ｃは、波長多重光信号Ｓａ〜Ｓｃの出力先に予備伝送路９１を選択した場合、波長多重光信号Ｓａ〜Ｓｃを光カプラ２７に出力する。制御ユニット１ａは、障害に応じて、光スイッチ２２ａ〜２２ｃの何れか１つの出力先だけを予備伝送路９１に切り替えるため、光カプラ２７には多くとも波長多重光信号Ｓａ〜Ｓｃの１つが入力される。
【０１１９】
光カプラ２７は、出力部の一例であり、予備伝送路９１が出力先に選択された１つの波長多重光信号Ｓａ〜Ｓｃを予備伝送路９１に出力する。障害に関わる波長多重光信号Ｓａ〜Ｓｃの１つは、光カプラ２７から光増幅器２５ｄに出力される。光増幅器２５ｄは、例えばＥＤＦＡであり、波長多重光信号Ｓａ〜Ｓｃを増幅して光カプラ２７によるパワー損失を補償する。波長多重光信号Ｓａ〜Ｓｃは、光増幅器２５ｄから予備伝送路９１に出力され、予備伝送路９１から受信ユニット３ｂに入力される。
【０１２０】
また、光スイッチ２２ａ〜２２ｃは、波長多重光信号Ｓａ〜Ｓｃの出力先に現用伝送路９０を選択した場合、波長多重光信号Ｓａ〜Ｓｃを光増幅器２３ａ〜２３ｃにそれぞれ出力する。光増幅器２３ａ〜２３ｃは、波長多重光信号Ｓａ〜Ｓｃを増幅して波長変換部２４に出力する。
【０１２１】
波長変換部２４は、第１波長変換部の一例であり、現用伝送路９０が出力先に選択された各波長多重光信号Ｓａ〜Ｓｃの波長帯を互いに異なる波長帯に変換する。より具体的には、波長変換器２４ａは、波長多重光信号Ｓａの波長帯をＣバンドからＬバンドに変換し、波長変換器２４ｃは、波長多重光信号Ｓｃの波長帯をＣバンドからＳバンドに変換する。
【０１２２】
このため、現用伝送路９０に出力される各波長多重光信号Ｓａ〜Ｓｃの波長帯が相違するので、合波器２６による波長多重が可能となる。なお、Ｃバンドの波長多重光信号Ｓｂは波長変換されないが、例えば元の波長帯がＣバンド以外の波長帯である場合、波長変換される。現用伝送路９０に出力される各波長多重光信号Ｓａ〜Ｓｃは、波長変換部２４から合波器２６に出力される。
【０１２３】
合波器２６は、合波部の一例であり、波長帯が変換された各波長多重光信号Ｓａ〜Ｓｃを合波することにより合波光Ｓｍｕｘを生成し現用伝送路９０に出力する。合波光Ｓｍｕｘは、現用伝送路９０から受信ユニット３ｂに入力される。
【０１２４】
受信ユニット３ｂは、複数の受信器３０ａ〜３０ｃと、複数の分波器３１ａ〜３１ｃ，３６と、光増幅器３３ａ〜３３ｃ，３５ａ，３５ｃ，３５ｄと、波長変換部３４と、複数の光スイッチ３２ａ〜３２ｃと、光スプリッタ（ＳＰＬ）３７とを有する。
【０１２５】
合波光Ｓｍｕｘは、現用伝送路９０から分波器３６に入力される。分波器３６は、分波部の一例であり、現用伝送路９０から入力された合波光Ｓｍｕｘから、現用伝送路９０が出力先に選択された各波長多重光信号Ｓａ〜Ｓｃを分波する。このため、分波器３６の後段において、波長帯ごとに波長多重光信号Ｓａ〜Ｓｃが処理される。
【０１２６】
波長多重光信号Ｓａ〜Ｓｃは、分波器３６から波長変換部３４に出力される。波長変換部３４は、第２波長変換部の一例であり、合波光Ｓｍｕｘから分波された各波長多重光信号Ｓａ〜Ｓｃの波長帯をＣバンドに変換する。すなわち、波長変換部３４は、各波長多重光信号Ｓａ〜Ｓｃの波長帯を共通の波長帯に変換する。なお、波長多重光信号Ｓｂは、波長変換されないが、例えば変換後の波長帯がＣバンド以外の波長帯である場合、波長変換される。波長多重光信号Ｓａ〜Ｓｃは、波長変換部３４から光スイッチ３２ａ〜３２ｃに入力される。
【０１２７】
また、予備伝送路９１に出力された波長多重光信号Ｓａ〜Ｓｃは、光増幅器３５ｄに入力される。光増幅器３５ｄは、波長多重光信号Ｓａ〜Ｓｃを増幅することにより予備伝送路９１におけるパワー損失を補償する。光増幅器３５ｄは、波長多重光信号Ｓａ〜Ｓｃを光スプリッタ３７に出力する。光スプリッタ３７は、波長多重光信号Ｓａ〜Ｓｃを分波して光スイッチ３２ａ〜３２ｃにそれぞれ出力する。これにより、光スイッチ３２ａ〜３２ｃには、障害に関わる波長多重光信号Ｓａ〜Ｓｃがそれぞれ入力される。
【０１２８】
光スイッチ３２ａ〜３２ｃは、比較例とは異なり、分波器３１ａ〜３１ｃの前段において波長変換部３４及び光スプリッタ３７とそれぞれ接続されている。光スイッチ３２ａ〜３２ｃは、複数の第２選択部の一例であり、分波器３１ａ〜３１ｃへの波長多重光信号Ｓａ〜Ｓｃの入力元を波長変換部３４と予備伝送路９１からそれぞれ選択する。すなわち、光スイッチ３２ａ〜３２ｃは、波長多重光信号Ｓａ〜Ｓｃの入力元を現用伝送路９０と予備伝送路９１から選択する。
【０１２９】
光スイッチ３２ａ〜３２ｃは、制御ユニット１ｂにより制御される。制御ユニット１ｂは、波長多重光信号Ｓａ〜Ｓｃの何れかに関する障害を検出した場合、その波長多重光信号Ｓａ〜Ｓｃだけが予備伝送路９１から分波器３１ａ〜３１ｃに入力されるように、光スイッチ３２ａ〜３２ｃをそれぞれ制御する。
【０１３０】
例えば、制御ユニット１ｂは、波長多重光信号Ｓｃに関する障害を検出した場合、光スイッチ３２ｃの入力元を予備伝送路９１に切り替え、他の光スイッチ３２ａ，３２ｂの入力元を現用伝送路９０のままとする。これにより、分波器３１ｃには、予備伝送路９１から波長多重光信号Ｓｃが入力され、他の分波器３１ａ，３１ｂには、現用伝送路９０、つまり波長変換部３４から波長多重光信号Ｓａ，Ｓｂがそれぞれ入力される。
【０１３１】
分波器３１ａ〜３１ｃは、複数の分離部の一例であり、波長多重光信号Ｓａ〜Ｓｃからそれぞれ複数の光信号を分離する。これにより、受信器３０ａ〜３０ｃは、光信号を受信することができる。
【０１３２】
また、伝送装置８ａにおいて、制御ユニット１ａは、光増幅器２３ａ〜２３ｃ，２５ａ，２５ｃ、及び波長変換器２４ａ，２４ｃを監視制御し、波長多重光信号Ｓａ〜Ｓｃに関する障害を検出する。
【０１３３】
例えば、波長変換器２４ａ，２４ｃには、故障検出のため、光チャネルモニタ、フォトダイオード、及び光フィルタなどの光学部品が設けられている。このため、波長変換器２４ａ，２４ｂｃ、波長変換器２４ａ，２４ｃにおける励起光のパワーの低下及び波長ずれや、波長変換後の波長多重光信号Ｓａ，Ｓｃのパワーの低下及び波長ずれや、励起光の漏れ光のパワーの増加を故障として検出し、警報を制御ユニット１ａに出力することができる。
【０１３４】
また、光増幅器２３ａ〜２３ｃ，２５ａ，２５ｃも、上記と同様の手段により故障を検出して、警報を制御ユニット１ａに出力する。さらに、光増幅器２３ａ〜２３ｃは、入力光の有無を検出することにより波長多重光信号Ｓａ〜Ｓｃの信号断をそれぞれ検出し、警報を制御ユニット１ａに出力する。
【０１３５】
例えば、制御ユニット１ａは、波長多重光信号Ｓａ〜Ｓｃごとに信号断及び装置故障を検出する。制御ユニット１ａは、光増幅器２３ａ，２５ａ及び波長変換器２４ａの何れかの故障を検出した場合、波長多重光信号Ｓａに関する装置故障の障害を検出し、光増幅器２３ｂの故障を検出した場合、波長多重光信号Ｓｂに関する装置故障の障害を検出する。また、制御ユニット１ａは、光増幅器２３ｃ，２５ｃ及び波長変換器２４ｃの何れかの故障を検出した場合、波長多重光信号Ｓｃに関する装置故障の障害を検出する。さらに、制御ユニット１ａは、光増幅器２３ａ〜２３ｃからの信号断の警報から波長多重光信号Ｓａ〜Ｓｃの信号断をそれぞれ検出する。
【０１３６】
また、伝送装置８ｂにおいて、制御ユニット１ｂは、光増幅器３３ａ〜３３ｃ，３５ａ，３５ｃ、及び波長変換器３４ａ，３４ｃを監視制御し、その故障などの障害を検出する。光増幅器３３ａ〜３３ｃ，３５ａ，３５ｃ及び波長変換器３４ａ，３４ｃは、上記と同様の手段により故障を検出して、警報を制御ユニット１ｂに出力する。また、光増幅器３３ａ〜３３ｃは、波長多重光信号Ｓａ〜Ｓｃの信号断をそれぞれ検出し、警報を制御ユニット１ｂに出力する。
【０１３７】
例えば、制御ユニット１ｂは、波長多重光信号Ｓａ〜Ｓｃごとに信号断及び装置故障を検出する。制御ユニット１ｂは、光増幅器３３ａ，３５ａ及び波長変換器３４ａの何れかの故障を検出した場合、波長多重光信号Ｓａに関する装置故障の障害を検出し、光増幅器３３ｂの故障を検出した場合、波長多重光信号Ｓｂに関する装置故障の障害を検出する。
【０１３８】
また、制御ユニット１ｂは、光増幅器３３ｃ，３５ｃ及び波長変換器３４ｃの何れかの故障を検出した場合、波長多重光信号Ｓｃに関する装置故障の障害を検出する。さらに、制御ユニット１ｂは、光増幅器３３ａ〜３３ｃからの信号断の警報から波長多重光信号Ｓａ〜Ｓｃの信号断をそれぞれ検出する。なお、装置故障及び信号断は波長多重光信号Ｓａ〜Ｓｃに関する障害の一例である。
【０１３９】
制御ユニット１ａ，１ｂは、通信することにより警報を共有する。警報は、例えば、光増幅器２３ａ〜２３ｃ，２５ａ，２５ｃ，３３ａ〜３３ｃ，３５ａ，３５ｃの監視信号光を用いて制御ユニット１ａ，１ｂの一方から他方に送信することができる。例えば、監視信号光は、波長多重光信号Ｓａ〜Ｓｃごとに送信ユニット２ａ，２ｂの光増幅器２３ａ〜２３ｃ，２５ａ，２５ｃから受信ユニット３ｂ，３ａの光増幅器３３ａ〜３３ｃ，３５ａ，３５ｃに送信される。
【０１４０】
例えば、光増幅器２５ｃに故障が発生した場合、光増幅器２５ｃは、故障を通知する警報を制御ユニット１ａに出力する。制御ユニット１ａは、警報を受けると、他の光増幅器２５ａの監視信号光に警報を挿入する。警報は、波長多重光信号Ｓａに含まれて受信ユニット３ｂの光増幅器３５ａで受信される。光増幅器３５ａは警報を制御ユニット１ｂに出力する。これにより、制御ユニット１ｂは、波長多重光信号Ｓｃに関する装置故障を検出する。
【０１４１】
また、受信ユニット３ｂで発生した警報は、逆方向の送信ユニット２ｂから他方の受信ユニット３ａに送信される。例えば、制御ユニット１ｂは、光増幅器３３ａ〜３３ｃ，３５ａ，３５ｃから警報を受けると、送信ユニット２ｂの光増幅器の監視信号光を用いて警報を他方の受信ユニット３ａに送信し、受信ユニット３ａから制御ユニット１ａに警報が出力される。
【０１４２】
このようにして、制御ユニット１ａ，１ｂは互いに警報を転送する。なお、制御ユニット１ａ，１ｂは、各波長多重光信号Ｓａ〜Ｓｃの監視信号光を１つの監視信号光に多重して送信してもよい。
【０１４３】
次に、波長多重光信号Ｓａ〜Ｓｃの伝送路切り替えの例を述べる。
【０１４４】
図６は、伝送路切り替えの一例を示す図である。図６において、図５と共通する構成には同一の符号を付し、その説明は省略する。
【０１４５】
点線は、各波長多重光信号Ｓａ〜Ｓｃの経路を示す。本例において、制御ユニット１ａ，１ｂは、光増幅器２５ｃの故障のため、波長多重光信号Ｓｃの経路を現用伝送路９０から予備伝送路９１に切り替える。
【０１４６】
光増幅器２５ｃは、故障を検出すると、警報を制御ユニット１ａに出力する。制御ユニット１ａは、警報を監視信号光により他方の制御ユニット１ｂに送信する。制御ユニット１ａ，１ｂは、警報から波長多重光信号Ｓｃに関する装置故障を検出する。
【０１４７】
制御ユニット１ａは、波長多重光信号Ｓｃに対応する光スイッチ２２ｃに対し、波長多重光信号Ｓｃの出力先が現用伝送路９０から予備伝送路９１に切り替えられるように制御する（破線参照）。これにより、波長多重光信号Ｓｃは、光スイッチ２２ｃから光カプラ２７に出力され、さらに光カプラ２７から光増幅器２５ｄを介し予備伝送路９１に入力される。
【０１４８】
また、制御ユニット１ａは、他の波長多重光信号Ｓａ，Ｓｂに対応する光スイッチ２２ａ，２２ｂに対し、波長多重光信号Ｓａ，Ｓｂの出力先が現用伝送路９０に維持されるように制御する。これにより、波長多重光信号Ｓａは光スイッチ２２ａから光増幅器２３ａに出力され、波長多重光信号Ｓｂは光スイッチ２２ｂから光増幅器２３ｂに出力される。このため、波長多重光信号Ｓａ，Ｓｂは、合波器２６に入力されて合波光Ｓｍｕｘとして現用伝送路９０に出力される。
【０１４９】
また、制御ユニット１ｂは、波長多重光信号Ｓｃに対応する光スイッチ３２ｃに対し、波長多重光信号Ｓｃの入力元が現用伝送路９０から予備伝送路９１に切り替えられるように制御する（破線参照）。これにより、予備伝送路９１から入力された波長多重光信号Ｓｃは、光スプリッタ３７から光スイッチ３２ｃに入力され、さらに光スイッチ３２ｃから分波器３１ｃに入力される。
【０１５０】
また、制御ユニット１ｂは、障害のない他の波長多重光信号Ｓａ，Ｓｂに対応する光スイッチ３２ａ，３２ｂに対し、波長多重光信号Ｓａ，Ｓｂの入力元が現用伝送路９０に維持されるように制御する。これにより、波長多重光信号Ｓａ，Ｓｂは光スイッチ３２ａ，３２ｂから分波器３１ａ，３１ｂにそれぞれ入力される。
【０１５１】
このようにして、障害のある波長多重光信号Ｓｃの経路は、現用伝送路９０から予備伝送路９１に切り替えられ、障害のない他の波長多重光信号Ｓａ，Ｓｂの経路は現用伝送路９０のままとなる。このため、光増幅器２５ｃの障害が発生しても、送信ユニット２ａから受信ユニット３ｂに各波長多重光信号Ｓａ〜Ｓｃの送信を継続することができる。
【０１５２】
本例の伝送システムによると、送信ユニット２ａの光スイッチ２２ａ〜２２ｃは、波長多重光信号Ｓａ〜Ｓｃの出力先を現用伝送路９０と予備伝送路９１から選択するため、送信ユニット２ａには、各波長多重光信号Ｓａ〜Ｓｃに波長多重された光信号ごとに光スイッチを設ける必要がない。また、受信ユニット３ｂの光スイッチ３２ａ〜３２ｃは、分波器３１ａ〜３１ｃへの波長多重光信号Ｓａ〜Ｓｃの入力元を現用伝送路９０、つまり波長変換部３４と予備伝送路９１から選択するため、受信ユニット３ｂには、各波長多重光信号Ｓａ〜Ｓｃに多重された光信号ごとに光スイッチを設ける必要がない。
【０１５３】
このため、送信ユニット２ａ及び受信ユニット３ｂは、比較例より光スイッチ数が低減される。さらに、比較例とは異なり、送信ユニット２ａには、予備系の送信処理部２ｐを設ける必要がなく、受信ユニット３ｂには、予備系の受信処理部３ｐを設ける必要がない。したがって、本例の伝送システムによると、光スイッチ数だけでなく、光増幅器数なども低減されるので、冗長構成の規模を縮小することができる。
【０１５４】
また、送信ユニット２ａには、光スイッチ２２ａ〜２２ｃと予備伝送路９１の間に光カプラ２７が接続されており、受信ユニット３ｂには、予備伝送路９１と光スイッチ３２ａ〜３２ｃの間に光スプリッタ３７が接続されている。このため、送信ユニット２ａ及び受信ユニット３ｂは、波長多重光信号Ｓａ〜Ｓｃの何れかに関する障害が発生しても、その波長多重光信号Ｓａ〜Ｓｃを光カプラ２７及び光スプリッタ３７により容易に予備伝送路９１を介して送受信することができる。
【０１５５】
なお、送信ユニット２ａには、光カプラ２７に代えて、波長多重光信号Ｓａ〜Ｓｃの入力元の光スイッチ２２ａ〜２２ｃを選択する別の光スイッチが設けられてもよい。また、受信ユニット３ｂには、光スプリッタ３７に代えて、波長多重光信号Ｓａ〜Ｓｃの出力先の光スイッチ３２ａ〜３２ｃを選択する別の光スイッチが設けられてもよい。この場合、各制御ユニット１ａ，１ｂは、障害に応じて別の光スイッチも制御する。
【０１５６】
また、本例の伝送システムでは、波長変換部２４，３４が波長多重光信号Ｓａ，Ｓｃの波長帯を変換するため、送信器２０ａ〜２０ｃ及び受信器３０ａ〜３０ｃは、Ｃバンドの波長多重光信号Ｓａ〜Ｓｃを送受信することができる。このため、送信器２０ａ〜２０ｃ、受信器３０ａ〜３０ｃ、合波器２１ａ〜２１ｃ、分波器３１ａ〜３１ｃ、及び光増幅器２３ａ〜２３ｃ，３３ａ〜３３ｃには、安価なＣバンド対応の装置を用いることができる。
【０１５７】
さらに、光カプラ２７には、Ｃバンドの波長多重光信号Ｓａ〜Ｓｃが入力され、光スプリッタ３７は、Ｃバンドの波長多重光信号Ｓａ〜Ｓｃを出力する。このため、予備伝送路９１に接続された光増幅器２５ｄ，３５ｄもＣバンドに対応するものを用いることができる。なお、本例の伝送システムは、３つの波長帯の波長多重光信号Ｓａ〜Ｓｃを伝送するが、これに限定されず、送信器、受信器、合波器、分波器、光スイッチ、光増幅器、及び波長変換器などを追加することにより４以上の波長帯の波長多重光信号も伝送することができる。
【０１５８】
次に、制御ユニット１ａ，１ｂの構成及び動作について述べる。制御ユニット１ａ，１ｂは、同一の構成を有し、送信ユニット２ａ，２ｂ及び受信ユニット３ａ，３ｂを監視制御する。
【０１５９】
図７は、制御ユニット１ａ，１ｂの一例を示す構成図である。制御ユニット１ａ，１ｂは、ＣＰＵ１０、ＲＯＭ（Read Only Memory）１１、ＲＡＭ（Random Access Memory）１２、及びハードウェアインターフェース部（ＨＷ−ＩＦ）１４を有する。ＣＰＵ１０は、互いに信号の入出力ができるように、ＲＯＭ１１、ＲＡＭ１２、及びＨＷ−ＩＦ１４と、バス１９を介して接続されている。
【０１６０】
ＲＯＭ１１は、ＣＰＵ１０を駆動するプログラムが格納されている。ＲＡＭ１２は、ＣＰＵ１０のワーキングメモリとして機能する。ＨＷ−ＩＦ１４は、ＣＰＵ１０と送信ユニット２ａ，２ｂ及び受信ユニット３ａ，３ｂの間の通信を処理する。ＨＷ−ＩＦ１４は、例えば、ＦＰＧＡ（Field Programmable Gate Array）やＡＳＩＣ（Application Specified Integrated Circuit）などの回路により構成される。
【０１６１】
ＣＰＵ１０は、ＲＯＭ１１からプログラムを読み込むと、機能として警報収集部１００、警報転送部１０１、及び経路切替部１０２が形成される。警報収集部１００は、送信ユニット２ａ，２ｂ及び受信ユニット３ａ，３ｂから各種の警報を収集する。警報には、波長変換器２４ａ，２４ｃ，３４ａ，３４ｃ及び光増幅器２３ａ〜２３ｃ，２５ａ，２５ｃ，３３ａ〜３３ｃ，３５ａ，３５ｃから出力されたものだけでなく、他方の制御ユニット１ａ，１ｂから監視信号光により転送されたものも含まれる。警報収集部１００は、警報を警報転送部１０１に出力する。
【０１６２】
警報転送部１０１は、警報が転送されたものでなければ、その警報を監視信号光により他方の制御ユニット１ａ，１ｂに転送する。例えば、警報転送部１０１は、光増幅器２３ａ〜２３ｃ，２５ａ，２５ｃに警報の情報を通知することにより、監視信号光に警報を挿入する。警報転送部１０１は、警報の転送処理の完了を経路切替部１０２に通知する。なお、警報が転送されたものである場合も、警報転送部１０１は、警報の転送処理の完了を経路切替部１０２に通知する。
【０１６３】
経路切替部１０２は、通知に応じて、光スイッチ２２ａ〜２２ｃ，３２ａ〜３２ｃを制御することにより波長多重光信号Ｓａ〜Ｓｃの経路を切り替える。
【０１６４】
図８は、制御ユニット１ａ，１ｂの経路切り替え処理の一例を示すフローチャートである。警報収集部１００は、波長変換器２４ａ，２４ｃ，３４ａ，３４ｃ及び光増幅器２３ａ〜２３ｃ，２５ａ，２５ｃ，３３ａ〜３３ｃ，３５ａ，３５ｃで警報が発生しているか否かを判定する（ステップＳｔ１）。
【０１６５】
警報転送部１０１は、警報が発生している場合（ステップＳｔ１のＹｅｓ）、警報を監視信号光により他方の制御ユニット１ａ，１ｂに転送する（ステップＳｔ２）。また、警報収集部１００は、警報が発生していない場合（ステップＳｔ１のＮｏ）、他方の制御ユニット１ａ，１ｂから転送された警報が受信されているか否かを判定する（ステップＳｔ７）。警報が受信されていない場合（ステップＳｔ７のＮｏ）、処理は終了し、警報が受信されている場合（ステップＳｔ７のＹｅｓ）、以下のステップＳｔ３の処理が行われる。
【０１６６】
次に、経路切替部１０２は、警報が信号断または装置故障を示すものか否かを判定する（ステップＳｔ３）。警報が信号断または装置故障を示すものではない場合（ステップＳｔ３のＮｏ）、処理は終了する。
【０１６７】
また、経路切替部１０２は、警報が信号断または装置故障を示すものである場合（ステップＳｔ３のＹｅｓ）、信号断または装置故障に該当する波長多重光信号Ｓａ〜Ｓｃが１つだけであるか否かを判定する（ステップＳｔ４）。経路切替部１０２は、信号断または装置故障に該当する波長多重光信号Ｓａ〜Ｓｃが複数である場合（ステップＳｔ４のＮｏ）、予備伝送路９１には複数の波長多重光信号Ｓａ〜Ｓｃを伝送することができないため、処理を終了する。
【０１６８】
また、経路切替部１０２は、信号断または装置故障に該当する波長多重光信号Ｓａ〜Ｓｃが１つだけである場合（ステップＳｔ４のＹｅｓ）、予備伝送路９１が正常であるか否かを判定する（ステップＳｔ５）。例えば、経路切替部１０２は、予備伝送路９１に接続された光増幅器２５ｄ，３５ｄから警報を収集することにより予備伝送路９１の状態を判定することができる。経路切替部１０２は、光増幅器２５ｄ，３５ｄが警報を発生している場合、予備伝送路９１が異常であると判定し、光増幅器２５ｄ，３５ｄの何れも警報を発生していない場合、予備伝送路９１が正常であると判定する。
【０１６９】
経路切替部１０２は、予備伝送路９１が異常である場合（ステップＳｔ５のＮｏ）、予備伝送路９１には波長多重光信号Ｓａ〜Ｓｃを伝送することができないため、処理を終了する。経路切替部１０２は、予備伝送路９１が正常である場合（ステップＳｔ５のＹｅｓ）、信号断または装置故障に該当する波長多重光信号Ｓａ〜Ｓｃの経路を現用伝送路９０から予備伝送路９１に切り替える（ステップＳｔ６）。このようにして、経路切り替え処理は行われる。
【０１７０】
このように、送信側の伝送装置８ａの制御ユニット１ａは、波長多重光信号Ｓａ〜Ｓｃの何れかの信号断または装置故障が発生した場合、その波長多重光信号Ｓａ〜Ｓｃが予備伝送路９１に出力され、他の波長多重光信号Ｓａ〜Ｓｃが現用伝送路９０に出力されるように、光スイッチ２２ａ〜２２ｃをそれぞれ制御する。この場合、さらに受信側の伝送装置８ａの制御ユニット１ｂは、信号断または装置故障の波長多重光信号Ｓａ〜Ｓｃが予備伝送路９１から当該分波器３１ａ〜３１ｃに入力され、他の波長多重光信号Ｓａ〜Ｓｃが波長変換部３４から当該分波器３１ａ〜３１ｃに入力されるように、光スイッチ３２ａ〜３２ｃをそれぞれ制御する。なお、制御ユニット１ａは第１制御部の一例であり、制御ユニット１ｂは第２制御部の一例である。
【０１７１】
したがって、本例の伝送システムは、信号断または装置故障が発生に応じて自動的に波長多重光信号Ｓａ〜Ｓｃの経路を切り替えることができる。
【０１７２】
本例の伝送システムは、現用伝送路９０に障害が発生しても、何れか１つの波長多重光信号Ｓａ〜Ｓｃしか予備伝送路９１に出力することができないが、以下の実施例のように、波長多重光信号Ｓａ〜Ｓｃの合波光Ｓｍｕｘを予備伝送路９１に迂回させるための光スイッチが設けられてもよい。
【０１７３】
（第２実施例）
図９は、第２実施例の伝送システムを示す構成図である。図９において、図５と共通する構成には同一の符号を付し、その説明は省略する。
【０１７４】
図５の構成と比較すると、送信ユニット２ａには、合波器２６と現用伝送路９０の間に光スイッチ６０が追加され、光増幅器２５ｄと予備伝送路９１の間に光スイッチ６１が追加されている。また、受信ユニット３ｂには、現用伝送路９０と分波器３６の間に光スイッチ６２が追加され、予備伝送路９１と光増幅器３５ｄの間に光スイッチ６３が追加されている。
【０１７５】
光スイッチ６０，６１は、第３選択部の一例であり、合波光Ｓｍｕｘの出力先を現用伝送路９０と予備伝送路９１から選択する。また、光スイッチ６２，６３は、第４選択部の一例であり、合波光Ｓｍｕｘの入力元を現用伝送路９０と予備伝送路９１から選択する。
【０１７６】
より具体的には、光スイッチ６０は、現用伝送路９０を合波光Ｓｍｕｘの出力先に選択した場合、合波器２６からの合波光Ｓｍｕｘを現用伝送路９０に出力し、予備伝送路９１を合波光Ｓｍｕｘの出力先に選択した場合、合波光Ｓｍｕｘを光スイッチ６１に出力する。また、光スイッチ６１は、現用伝送路９０を合波光Ｓｍｕｘの出力先に選択した場合、光増幅器２５ｄからの波長多重光信号Ｓａ〜Ｓｃを予備伝送路９１に出力し、予備伝送路９１を合波光Ｓｍｕｘの出力先に選択した場合、光スイッチ６０からの合波光Ｓｍｕｘを予備伝送路９１に出力する。
【０１７７】
また、光スイッチ６３は、現用伝送路９０を合波光Ｓｍｕｘの入力元に選択した場合、予備伝送路９１から入力された合波光Ｓｍｕｘを光スイッチ６２に出力し、予備伝送路９１を合波光Ｓｍｕｘの入力元に選択した場合、予備伝送路９１から入力された波長多重光信号Ｓａ〜Ｓｃを光増幅器３５ｄに出力する。また、光スイッチ６２は、現用伝送路９０を合波光Ｓｍｕｘの入力元に選択した場合、現用伝送路９０から入力された合波光Ｓｍｕｘを分波器３６に出力し、予備伝送路９１を合波光Ｓｍｕｘの入力元に選択した場合、光スイッチ６３から入力された合波光Ｓｍｕｘを分波器３６に出力する。
【０１７８】
このため、光スイッチ６０，６１が、合波光Ｓｍｕｘの出力先に予備伝送路９１を選択し、光スイッチ６２，６３が、合波光Ｓｍｕｘの入力元に予備伝送路９１を選択した場合、合波光Ｓｍｕｘは、点線で示されるように、送信ユニット２ａから予備伝送路９１を介して受信ユニット３ａに入力される。このため、現用伝送路９０に障害が発生した場合でも（バツ印参照）、送信ユニット２ａから受信ユニット３ａへの各波長多重光信号Ｓａ〜Ｓｃの送信を継続することができる。
【０１７９】
光スイッチ６０，６１は制御ユニット１ａにより制御され、光スイッチ６２，６３は制御ユニット１ｂにより制御される。制御ユニット１ａ，１ｂは、監視信号光を送受信することにより現用伝送路９０の警報を共有し、警報に応じて予備伝送路９１が選択されるように光スイッチ６０〜６３を制御する。
【０１８０】
図１０は、制御ユニット１ａ，１ｂの経路切り替え処理の他の例を示すフローチャートである。図１０において、図８と共通する処理には同一の符号を付し、その説明は省略する。
【０１８１】
経路切替部１０２は、警報が信号断または装置故障を示すものではない場合（ステップＳｔ３のＮｏ）、現用伝送路９０の断（以下、「伝送路断」と表記）が発生したか否かを判定する（ステップＳｔ８）。例えば、経路切替部１０２は、受信ユニット３ａの光増幅器３３ａ〜３３ｃにおいて、入力光の遮断を示す警報が発生した場合、伝送路断が発生したと判定し、そうでない場合、伝送路断が未発生であると判定する。
【０１８２】
経路切替部１０２は、伝送路断が未発生である場合（ステップＳｔ８のＮｏ）、処理を終了する。また、経路切替部１０２は、伝送路断が発生している場合（ステップＳｔ８のＹｅｓ）、予備伝送路９１が正常であるか否かを判定する（ステップＳｔ９）。なお、予備伝送路９１の状態の判定手段は、ステップＳｔ５と同様である。
【０１８３】
経路切替部１０２は、予備伝送路９１が異常である場合（ステップＳｔ９のＮｏ）、処理を終了する。また、経路切替部１０２は、予備伝送路９１が正常である場合（ステップＳｔ９のＹｅｓ）、光スイッチ６０〜６３を制御することにより合波光Ｓｍｕｘの経路を現用伝送路９０から予備伝送路９１に切り替える（ステップＳｔ１０）。このようにして、経路切り替え処理は行われる。
【０１８４】
（第３実施例）
図１１は、第３実施例の伝送システムを示す構成図である。図１１において、図５と共通する構成には同一の符号を付し、その説明は省略する。
【０１８５】
本例の伝送システムにおいて、光スイッチ２２ａ〜２２ｃは、光増幅器２３ａ〜２３ｃと波長変換部２４の間にそれぞれ接続され、光スイッチ３２ａ〜３２ｃは、光増幅器３３ａ〜３３ｃと波長変換部３４の間に接続されている。
【０１８６】
このため、光カプラ２７には、増幅済みの波長多重光信号Ｓａ〜Ｓｃが入力される。したがって、第１実施例の伝送システムと比べると、本例の伝送システムは、光増幅器２５ｄ，３５ｄが設けられておらず、規模が縮小されている。
【０１８７】
（第４実施例）
図１２は、第４実施例の伝送システムを示す構成図である。図１２において、図５と共通する構成には同一の符号を付し、その説明は省略する。
【０１８８】
本例の伝送システムには、第１実施例の光スイッチ２２ａ〜２２ｃに代えて、波長選択スイッチ７ａ〜７ｃが設けられ、第１実施例の光スイッチ３２ａ〜３２ｃに代えて、波長選択スイッチ８ａ〜８ｃが設けられている。なお、波長選択スイッチ７ａ〜７ｃは第１選択部の一例であり、波長選択スイッチ８ａ〜８ｃは第２選択部の一例である。
【０１８９】
波長選択スイッチ７ａ〜７ｃは、制御ユニット１ａにより制御される。制御ユニット１ａは、波長多重光信号Ｓａ〜Ｓｃの何れかに関する障害を検出した場合、その波長多重光信号Ｓａ〜Ｓｃだけが予備伝送路９１に出力されるように、波長選択スイッチ７ａ〜７ｃをそれぞれ制御する。
【０１９０】
例えば、制御ユニット１ａは、波長多重光信号Ｓｃに関する障害を検出した場合、波長選択スイッチ７ｃからの波長多重光信号Ｓｃの出力先を予備伝送路９１に切り替え、他の波長選択スイッチ７ａ，７ｂの波長多重光信号Ｓａ，Ｓｂの出力先を現用伝送路９０のままとする。これにより、波長選択スイッチ７ｃは、波長多重光信号Ｓｃを光カプラ２７に出力し、他の波長選択スイッチ７ａ，７ｂは、波長多重光信号Ｓａ，Ｓｂを光増幅器２３ａ，２３ｂに出力する。
【０１９１】
また、波長選択スイッチ８ａ〜８ｃは、制御ユニット１ｂにより制御される。制御ユニット１ｂは、波長多重光信号Ｓａ〜Ｓｃの何れかに関する障害を検出した場合、その波長多重光信号Ｓａ〜Ｓｃだけが予備伝送路９１から分波器３１ａ〜３１ｃに入力されるように、波長選択スイッチ８ａ〜８ｃをそれぞれ制御する。
【０１９２】
例えば、制御ユニット１ｂは、波長多重光信号Ｓｃに関する障害を検出した場合、波長選択スイッチ８ｃの入力元を予備伝送路９１に切り替え、他の波長選択スイッチ８ａ，８ｂの入力元を現用伝送路９０のままとする。これにより、分波器３１ｃには、予備伝送路９１から波長多重光信号Ｓｃが入力され、他の分波器３１ａ，３１ｂには、現用伝送路９０、つまり波長変換部３４から波長多重光信号Ｓａ，Ｓｂがそれぞれ入力される。
【０１９３】
このため、本例の伝送システムは、第１実施例の伝送システムと同様に、波長多重光信号Ｓａ〜Ｓｃの伝送路を切り替えることができる。
【０１９４】
（第５実施例）
また、第１〜第３実施例において、送信ユニット２ａには、３つの光スイッチ２２ａ〜２２ｃ，３２ａ〜３２ｃが設けられたが、これに代えて、３つの合波器２１ａ〜２１ｃが設けられてもよい。この場合、以下に述べるように、送信ユニット２ａの光スイッチ数を１つとすることができる。
【０１９５】
図１３は、第５実施例の伝送システムを示す構成図である。図１３において、図５と共通する構成には同一の符号を付し、その説明は省略する。なお、他の実施例の伝送方法は、以下に述べる伝送システムの処理によって実行される。
【０１９６】
図５の構成と比較すると、送信ユニット２ａには、合波器２１ａ〜２１ｃと光増幅器２３ａ〜２３ｃの間に光カプラ２７ａ〜２７ｃがそれぞれ設けられ、さらに、光カプラ２７ａ〜２７ｃと光増幅器２５ｄの間に光スイッチ２２ｓが設けられている。
【０１９７】
光カプラ２７ａ〜２７ｃは、複数の分岐部の一例であり、Ｃバンドの波長多重光信号Ｓａ〜Ｓｃをそれぞれ二分岐する。二分岐された一方の波長多重光信号Ｓａ〜Ｓｃは、光スイッチ２２ｓに入力される。
【０１９８】
光スイッチ２２ｓは、信号出力部の一例であり、二分岐された一方の波長多重光信号Ｓａ〜Ｓｃから１つの波長多重光信号Ｓａ〜Ｓｃを選択して予備伝送路９１に出力する。光スイッチ２２ｓは、制御ユニット１ａにより制御される。制御ユニット１ａは、信号断または装置故障の波長多重光信号Ｓａ〜Ｓｃだけが予備伝送路９１に出力されるように、光スイッチ２２ｓを制御する。
【０１９９】
また、波長変換部２４は、二分岐された他方の波長多重光信号Ｓａ〜Ｓｃの波長帯を互いに異なる波長帯に変換し、合波器２６は、波長帯が変換された各波長多重光信号Ｓａ〜Ｓｃを合波することにより合波光Ｓｍｕｘを生成し現用伝送路９０に出力する。このため、信号断または装置故障が発生した場合でも、全ての波長多重光信号Ｓａ〜Ｓｃが合波光Ｓｍｕｘに波長多重され現用伝送路９０に入力される。
【０２００】
受信ユニット３ｂにおいて、分波器３６は、現用伝送路９０から入力された合波光Ｓｍｕｘから各波長多重光信号Ｓａ〜Ｓｃを分波し、波長変換部３４は、合波光Ｓｍｕｘから分波された各波長多重光信号Ｓａ〜Ｓｃの波長帯をＣバンドに変換する。
【０２０１】
光スイッチ３２ａ〜３２ｃは、複数の入力元選択部の一例であり、分波器３１ａ〜３１ｃへの波長多重光信号Ｓａ〜Ｓｃの入力元を波長変換部３４と予備伝送路９１からそれぞれ選択する。このため、信号断または装置故障の波長多重光信号Ｓａ〜Ｓｃに対応する光スイッチ３２ａ〜３２ｃは、仮に波長変換部３４からその波長多重光信号Ｓａ〜Ｓｃが入力されても、分波器３１ａ〜３１ｃに出力せず、予備伝送路９１から入力された波長多重光信号Ｓａ〜Ｓｃを分波器３１ａ〜３１ｃに出力する。
【０２０２】
このため、本例の伝送システムによると、他の実施例の伝送システムと同様に、信号断または装置故障の波長多重光信号Ｓａ〜Ｓｃだけを予備伝送路９１に伝送させることができる。また、本例の送信ユニット２ａには、第１実施例の伝送システムと比較すると、光カプラ２７ａ〜２７ｃの数が３つに増えるが、光スイッチ２２ｓの数が１つに減少するため、第１実施例の伝送システムより冗長構成の規模を縮小することができる。なお、光スイッチ２２ｓ及び光カプラ２７ａ〜２７ｃを含む構成は、図９に示された送信ユニット２ａに設けられてもよい。
【０２０３】
上述した実施形態は本発明の好適な実施の例である。但し、これに限定されるものではなく、本発明の要旨を逸脱しない範囲内において種々変形して実施可能である。
【０２０４】
なお、以上の説明に関して更に以下の付記を開示する。
（付記１）  第１伝送路及び第２伝送路を介して互いに接続された送信装置及び受信装置を有し、
前記送信装置は、
複数の光信号を波長多重することにより所定の波長帯の複数の波長多重光信号をそれぞれ生成する複数の生成部と、
前記複数の波長多重光信号の出力先を前記第１伝送路と前記第２伝送路からそれぞれ選択する複数の第１選択部と、
前記複数の波長多重光信号のうち、前記第２伝送路が前記出力先に選択された１つの波長多重光信号を前記第２伝送路に出力する出力部と、
前記複数の波長多重光信号のうち、前記第１伝送路が前記出力先に選択された各波長多重光信号の波長帯を互いに異なる波長帯に変換する第１波長変換部と、
前記複数の波長多重光信号のうち、前記波長帯が変換された各波長多重光信号を合波することにより合波光を生成し前記第１伝送路に出力する合波部とを有し、
前記受信装置は、
前記第１伝送路から入力された前記合波光から、前記複数の波長多重光信号のうち、前記第１伝送路が前記出力先に選択された各波長多重光信号を分波する分波部と、
前記合波光から分波された各波長多重光信号の波長帯を前記所定の波長帯に変換する第２波長変換部と、
前記複数の波長多重光信号からそれぞれ前記複数の光信号を分離する複数の分離部と、
前記複数の分離部への前記複数の波長多重光信号の入力元を前記第２波長変換部と前記第２伝送路からそれぞれ選択する複数の第２選択部とを有することを特徴とする伝送システム。
（付記２）  前記出力部は、前記複数の第１選択部と前記第２伝送路の間に接続された光カプラであり、
前記受信装置は、前記第２伝送路と前記複数の第２選択部の間に接続された光スプリッタを有することを特徴とする付記１に記載の伝送システム。
（付記３）  前記送信装置は、前記複数の波長多重光信号の何れかに関する障害が発生した場合、前記複数の波長多重光信号のうち、当該波長多重光信号が前記第２伝送路に出力され、他の波長多重光信号が前記第１伝送路に出力されるように、前記複数の第１選択部をそれぞれ制御する第１制御部を有し、
前記受信装置は、前記複数の波長多重光信号の何れかに関する障害が発生した場合、前記複数の波長多重光信号のうち、当該波長多重光信号が前記第２伝送路から前記複数の分離部の１つに入力され、他の波長多重光信号が前記第２波長変換部から前記複数の分離部の残りに入力されるように、前記複数の第２選択部をそれぞれ制御する第２制御部を有することを特徴とする付記１または２に記載の伝送システム。
（付記４）  前記送信装置は、前記合波光の出力先を前記第１伝送路と前記第２伝送路から選択する第３選択部を有し、
前記受信装置は、前記合波光の入力元を前記第１伝送路と前記第２伝送路から選択する第４選択部を有し、
前記第１制御部は、前記第１伝送路の障害が発生した場合、前記第２伝送路が選択されるように前記第３選択部を制御し、
前記第２制御部は、前記第１伝送路の障害が発生した場合、前記第２伝送路が選択されるように前記第４選択部を制御することを特徴とする付記１乃至３の何れかに記載の伝送システム。
（付記５）  第１伝送路及び第２伝送路を介して互いに接続された送信装置及び受信装置を有し、
前記送信装置は、
複数の光信号を波長多重することにより所定の波長帯の複数の波長多重光信号をそれぞれ生成する複数の生成部と、
前記所定の波長帯の前記複数の波長多重光信号をそれぞれ二分岐する複数の分岐部と、
前記二分岐された一方の前記複数の波長多重光信号から１つの波長多重光信号を選択し前記第２伝送路に出力する信号出力部と、
前記二分岐された他方の前記複数の波長多重光信号の波長帯を互いに異なる波長帯に変換する第１波長変換部と、
前記波長帯が変換された各波長多重光信号を合波することにより合波光を生成し前記第１伝送路に出力する合波部とを有し、
前記受信装置は、
前記第１伝送路から入力された前記合波光から前記複数の波長多重光信号の各々を分波する分波部と、
前記合波光から分波された各波長多重光信号の波長帯を前記所定の波長帯に変換する第２波長変換部と、
前記複数の波長多重光信号からそれぞれ前記複数の光信号を分離する複数の分離部と、
前記複数の分離部への前記複数の波長多重光信号の入力元を前記第２波長変換部と前記第２伝送路からそれぞれ選択する複数の入力元選択部とを有することを特徴とする伝送システム。
（付記６）  前記受信装置は、前記第２伝送路と前記複数の入力元選択部の間に接続された光スプリッタを有することを特徴とする付記５に記載の伝送システム。
（付記７）  前記送信装置は、前記複数の波長多重光信号の何れかに関する障害が発生した場合、前記複数の波長多重光信号のうち、当該波長多重光信号が前記第２伝送路に出力されるように、前記信号出力部を制御する第１制御部を有し、
前記受信装置は、前記複数の波長多重光信号の何れかに関する障害が発生した場合、前記複数の波長多重光信号のうち、当該波長多重光信号が前記第２伝送路から前記複数の分離部の１つに入力され、他の波長多重光信号が前記第２波長変換部から前記複数の分離部の残りに入力されるように、前記複数の入力元選択部をそれぞれ制御する第２制御部を有することを特徴とする付記５または６に記載の伝送システム。
（付記８）  第１伝送路及び第２伝送路を介して互いに接続された送信装置及び受信装置の間の伝送方法において、
前記送信装置は、
複数の光信号を波長多重することにより所定の波長帯の複数の波長多重光信号をそれぞれ生成し、
前記複数の波長多重光信号の出力先を前記第１伝送路と前記第２伝送路からそれぞれ選択し、
前記複数の波長多重光信号のうち、前記第２伝送路が前記出力先に選択された１つの波長多重光信号を前記第２伝送路に出力し、
前記複数の波長多重光信号のうち、前記第１伝送路が前記出力先に選択された各波長多重光信号の波長帯を互いに異なる波長帯に変換し、
前記複数の波長多重光信号のうち、前記波長帯が変換された各波長多重光信号を合波することにより合波光を生成し、
前記合波光を前記第１伝送路に出力し、
前記受信装置は、
前記第１伝送路から入力された前記合波光から、前記複数の波長多重光信号のうち、前記第１伝送路が前記出力先に選択された各波長多重光信号を分波し、
前記合波光から分波された各波長多重光信号の波長帯を、波長変換部により前記所定の波長帯に変換し、
複数の分離部により前記複数の波長多重光信号からそれぞれ前記複数の光信号を分離し、
前記複数の分離部への前記複数の波長多重光信号の入力元を前記波長変換部と前記第２伝送路からそれぞれ選択することを特徴とする伝送方法。
（付記９）  前記送信装置は、
複数の第１選択部により前記複数の波長多重光信号の出力先を前記第１伝送路と前記第２伝送路からそれぞれ選択し、
前記複数の波長多重光信号の何れかに関する障害が発生した場合、前記複数の波長多重光信号のうち、当該波長多重光信号が前記第２伝送路に出力され、他の波長多重光信号が前記第１伝送路に出力されるように、前記複数の第１選択部をそれぞれ制御し、
前記受信装置は、
複数の第２選択部により前記複数の分離部への前記複数の波長多重光信号の入力元を前記波長変換部と前記第２伝送路からそれぞれ選択し、
前記複数の波長多重光信号の何れかに関する障害が発生した場合、前記複数の波長多重光信号のうち、当該波長多重光信号が前記第２伝送路から前記複数の分離部の１つに入力され、他の波長多重光信号が前記第２波長変換部から前記複数の分離部の残りに入力されるように、前記複数の第２選択部をそれぞれ制御することを特徴とする付記８に記載の伝送方法。
（付記１０）  前記送信装置は、前記合波光の出力先を前記第１伝送路と前記第２伝送路から選択する第３選択部を有し、
前記受信装置は、前記合波光の入力元を前記第１伝送路と前記第２伝送路から選択する第４選択部を有し、
前記送信装置は、前記第１伝送路の障害が発生した場合、前記第２伝送路が選択されるように前記第３選択部を制御し、
前記受信装置は、前記第１伝送路の障害が発生した場合、前記第２伝送路が選択されるように前記第４選択部を制御することを特徴とする付記８または９に記載の伝送方法。
（付記１１）  第１伝送路及び第２伝送路を介して互いに接続された送信装置及び受信装置の間の伝送方法において、
前記送信装置は、
複数の光信号を波長多重することにより所定の波長帯の複数の波長多重光信号をそれぞれ生成し、
前記所定の波長帯の前記複数の波長多重光信号をそれぞれ二分岐し、
前記二分岐された一方の前記複数の波長多重光信号から１つの波長多重光信号を選択し前記第２伝送路に出力し、
前記二分岐された他方の前記複数の波長多重光信号の波長帯を互いに異なる波長帯に変換し、
前記波長帯が変換された各波長多重光信号を合波することにより合波光を生成し、
前記合波光を前記第１伝送路に出力し、
前記受信装置は、
前記第１伝送路から入力された前記合波光から前記複数の波長多重光信号の各々を分波し、
前記合波光から分波された各波長多重光信号の波長帯を、波長変換部により前記所定の波長帯に変換し、
複数の分離部により前記複数の波長多重光信号からそれぞれ前記複数の光信号を分離し、
前記複数の分離部への前記複数の波長多重光信号の入力元を前記波長変換部と前記第２伝送路からそれぞれ選択することを特徴とする伝送方法。
（付記１２）  前記送信装置は、
信号出力部により、前記二分岐された一方の前記複数の波長多重光信号から１つの波長多重光信号を選択し前記第２伝送路に出力し、
前記複数の波長多重光信号の何れかに関する障害が発生した場合、前記複数の波長多重光信号のうち、当該波長多重光信号が前記第２伝送路に出力されるように、前記信号出力部を制御し、
前記受信装置は、
複数の入力元選択部により、前記複数の分離部への前記複数の波長多重光信号の入力元を前記波長変換部と前記第２伝送路からそれぞれ選択し、
前記複数の波長多重光信号の何れかに関する障害が発生した場合、前記複数の波長多重光信号のうち、当該波長多重光信号が前記第２伝送路から前記複数の分離部の１つに入力され、他の波長多重光信号が前記波長変換部から前記複数の分離部の残りに入力されるように、前記複数の入力元選択部をそれぞれ制御することを特徴とする付記１１に記載の伝送方法。
【符号の説明】
【０２０５】
１，１ａ，１ｂ     制御ユニット
２，２ａ，２ｂ     送信ユニット
３，３ａ，３ｂ     受信ユニット
７ａ〜７ｃ，８ａ〜８ｃ    波長選択スイッチ
２１ａ〜２１ｃ，２６     合波器
３１ａ〜３１ｃ，３６     分波器
２２ａ〜２２ｃ，２２ｓ，３２ａ〜３２ｃ  光スイッチ
２３ａ〜２３ｃ，２５ａ，２５ｃ，２５ｄ  光増幅器
２４，３４      波長変換部
２７，２７ａ〜２７ｃ     光カプラ
３３ａ〜３３ｃ，３５ａ，３５ｃ，３５ｄ  光増幅器
３７       光スプリッタ
６０〜６３      光スイッチ
９０       現用伝送路
９１       予備伝送路
【図１】
2019125964.tif 000003
【図２】
2019125964.tif 000004
【図３】
2019125964.tif 000005
【図４】
2019125964.tif 000006
【図５】
2019125964.tif 000007
【図６】
2019125964.tif 000008
【図７】
2019125964.tif 000009
【図８】
2019125964.tif 000010
【図９】
2019125964.tif 000011
【図１０】
2019125964.tif 000012
【図１１】
2019125964.tif 000013
【図１２】
2019125964.tif 000014
【図１３】
2019125964.tif 000015